(57)【要約】【課題】  多様な入浴者のニーズに応えることが可能で、より快適性を追求した浴室ミストサウナ装置を提供すること。【解決手段】  この浴室ミストサウナ装置ＭＳは、ミストバルブ５７，５８、暖房ヒータ６０，６１，６２、及びそれらを制御する制御手段としてのＣＰＵ４０を備え、ＣＰＵ４０は、ミストノズルによる浴室内へのミスト噴出とヒータによる浴室内の温度上昇とを並立させて入浴者に発汗を促す発汗ゾーンを形成すると共に、当該発汗ゾーンの形成に合わせて少なくとも発汗ゾーンにおいて発汗した入浴者に対して清涼感を体感させることが可能な涼感ゾーンを形成するゾーン分離空調制御を行い、当該制御によって、浴室を入浴者が発汗ゾーンと涼感ゾーンとの間を往来可能なように構成し、入浴者が発汗と清涼感の体感とを交互に体験することができるサイクル入浴を可能としている。【選択図】  図９
2009061140.tif 000002
【特許請求の範囲】
【請求項１】
実体物によって分離されていない一つの空間として構成され、浴槽領域と洗い場領域とを備える浴室空間内に、入浴者に発汗を促すためのミストサウナ空間を形成する浴室ミストサウナ装置であって、
浴室空間内に温ミストを噴出する温ミスト噴出手段と、
浴室空間内に涼水ミストを噴出する涼水ミスト噴出手段と、
空気を加熱する加熱手段によって加熱された温風を浴室空間内に噴出する温風噴出手段と、
浴室空間内に涼風を噴出する涼風噴出手段と、
前記温ミスト噴出手段と、前記涼水ミスト噴出手段と、前記温風噴出手段と、前記涼風噴出手段とをそれぞれ制御し、温ミスト及び温風を噴出させることで入浴者に発汗を促す高温多湿の発汗ゾーンを形成すると共に、涼水ミスト及び涼風を噴出させることで、発汗した入浴者に対して清涼感を体感させ得る涼感ゾーンを発汗ゾーンとの間に実体物を設けることなく併存形成するゾーン分離空調制御を行う制御手段と、
涼感ゾーンの形成位置を使用者自らの意思で任意の位置に設定するための位置設定手段と、を備え、
前記制御手段は前記位置設定手段によって設定された形成位置に涼感ゾーンを形成するようにゾーン分離空調制御を行い、そのゾーン分離空調制御を行った結果併存形成される発汗ゾーンと涼感ゾーンとの間を、入浴者が往来することによって浴室空間内において入浴者が発汗と清涼感の体感とを交互に体験することができるサイクル入浴を可能としたことを特徴とする浴室ミストサウナ装置。
【請求項２】
前記温ミスト噴出手段及び前記涼水ミスト噴出手段は、洗い場領域に向けて温ミスト又は涼水ミストを噴出するための洗い場側ミストノズルと、浴槽領域に向けて温ミスト又は涼水ミストを噴出するための浴槽側ミストノズルと、を有し、
前記温風噴出手段及び前記涼風噴出手段は、洗い場領域の任意の位置に向けて温風又は涼風を噴出するための洗い場側風向調整部と、浴槽領域の任意の位置に向けて温風又は涼風を噴出するための浴槽側風向調整部と、を有しており、
前記制御手段は、前記洗い場側ミストノズルからの温ミスト又は涼水ミストの噴出、前記浴槽側ミストノズルからの温ミスト又は涼水ミストの噴出、前記洗い場側風向調整部からの温風又は涼風の噴出方向、及び前記浴槽側風向調整部からの温風又は涼風の噴出方向をそれぞれ制御することで、発汗ゾーンの形成位置と、涼感ゾーンの形成位置とを変更することを特徴とする請求項１に記載の浴室ミストサウナ装置。
【請求項３】
前記位置設定手段によって涼感ゾーンの形成位置が設定されると、その設定された涼感ゾーンの形成位置に対応する特定の位置に発汗ゾーンの形成位置が決定され、前記制御手段はその決定された形成位置に発汗ゾーンを形成するようにゾーン分離空調制御を行うことを特徴とする請求項１に記載の浴室ミストサウナ装置。
【請求項４】
前記位置設定手段は、予め設定された涼感ゾーンの形成位置を複数記憶しており、その複数記憶されている形成位置を候補位置として使用者によって選択可能なように構成されていることを特徴とする請求項１に記載の浴室ミストサウナ装置。
【請求項５】
前記候補位置として、浴室空間を平面視した場合の４つの対角方向を互いに分かつように分割された４つの領域が選択可能なように設定されており、
前記位置設定手段は、涼感ゾーンの形成位置として選択された領域と対角位置にある領域を発汗ゾーンの形成位置として決定することを特徴とする請求項４に記載の浴室ミストサウナ装置。
【請求項６】
前記制御手段は、前記位置設定手段によって設定された涼感ゾーンの形成位置に応じて、涼感ゾーンを形成するゾーン分離空調制御の制御態様を変更することを特徴とする請求項１に記載の浴室ミストサウナ装置。
【請求項７】
前記制御手段は、発汗ゾーンの形成位置に応じて、発汗ゾーンを形成するゾーン分離空調制御の制御態様を変更することを特徴とする請求項６に記載の浴室ミストサウナ装置。
【請求項８】
前記制御手段は、涼感ゾーン及び発汗ゾーンの形成位置に応じて、前記涼風噴出手段及び前記温風噴出手段が噴出する涼風及び温風の風量を変更することを特徴とする請求項６又は７に記載の浴室ミストサウナ装置。
【発明の詳細な説明】
【技術分野】
【０００１】
本発明は、実体物によって分離されていない単一空間として構成された浴室内を、入浴者に発汗を促すためのミストサウナ空間とすることのできる浴室ミストサウナ装置に関する。
【背景技術】
【０００２】
従来、このような浴室ミストサウナ装置として、下記特許文献１に記載されているようなものが提案されている。下記特許文献１には、ミストサウナ運転の後にクールダウン運転を行うことが可能なミスト式空調システムが記載されている。このミスト式空調システムは、サウナ温度、サウナ入浴時間、サウナ運転及びクールダウン運転のサイクル回数が設定可能なように構成されており、最初のサウナ運転から最後のクールダウン運転の終了までの間に、サウナ運転及びクールダウン運転のサイクルが繰り返されるものである。
【特許文献１】特開２００２−１４３２６５号公報
【発明の開示】
【発明が解決しようとする課題】
【０００３】
上述した従来の技術では、サウナ温度、サウナ入浴時間、サウナ運転及びクールダウン運転のサイクル回数を設定することを可能とする設定手段を備えており、その設定手段による設定に基づいてサウナ運転とクールダウン運転とのサイクル運転を行っている。従って、入浴者は予め自らが設定したサイクルでミストサウナ浴を行うことになる。
【０００４】
ところで、ミストサウナ浴の合間にクールダウンしたいとのニーズはあるが、同じ入浴者であってもいかなるサイクルでクールダウンすることが快適かは実際に入浴してみなければ分からない場合もある。しかしながら、上述した従来の技術ではこのようなニーズには応えることができない。
【０００５】
そこで本発明では、多様な入浴者のニーズに応えることが可能で、より快適性を追求した浴室ミストサウナ装置を提供することを目的とする。
【課題を解決するための手段】
【０００６】
上記課題を解決するために本発明者らは、多くの入浴者のニーズをヒアリングし、様々な角度から快適な浴室ミストサウナ装置について検討を行った。まず、多様な入浴者のニーズに応えるために、入浴者の指示入力に応じてクールダウンを行ういわゆるマニュアルモードの検討を行った。しかしながら、そもそも上述した従来の技術では浴室全体を暖めたり冷したりすることが必要であり、現実的には実現することが困難であることが判明した。また、浴室空間に比して非常に大掛かりな空調装置を導入することでそれを可能ならしめたとしても、そのような大規模な空調装置で浴室の暖気と涼気とを全て入れ替えて入浴することが必ずしも快適ではないことも判明した。本発明は、このような試行錯誤の結果として得られた新たな課題を解決すべくなされたものである。
【０００７】
本発明に係る浴室ミストサウナ装置は、実体物によって分離されていない一つの空間として構成され、浴槽領域と洗い場領域とを備える浴室空間内に、入浴者に発汗を促すためのミストサウナ空間を形成する浴室ミストサウナ装置であって、浴室空間内に温ミストを噴出する温ミスト噴出手段と、浴室空間内に涼水ミストを噴出する涼水ミスト噴出手段と、空気を加熱する加熱手段によって加熱された温風を浴室空間内に噴出する温風噴出手段と、浴室空間内に涼風を噴出する涼風噴出手段と、温ミスト噴出手段と、涼水ミスト噴出手段と、温風噴出手段と、涼風噴出手段と、をそれぞれ制御し、温ミスト及び温風を噴出させることで入浴者に発汗を促す高温多湿の発汗ゾーンを形成すると共に、涼水ミスト及び涼風を噴出させることで、発汗した入浴者に対して清涼感を体感させ得る涼感ゾーンを発汗ゾーンとの間に実体物を設けることなく併存形成するゾーン分離空調制御を行う制御手段と、涼感ゾーンの形成位置を使用者自らの意思で任意の位置に設定するための位置設定手段と、を備え、制御手段は位置設定手段によって設定された形成位置に涼感ゾーンを形成するようにゾーン分離空調制御を行い、そのゾーン分離空調制御を行った結果併存形成される発汗ゾーンと涼感ゾーンとの間を、入浴者が往来することによって浴室空間内において入浴者が発汗と清涼感の体感とを交互に体験することができるサイクル入浴を可能としている。
【０００８】
本発明によれば、設置工事業者や所有者といった使用者自らの意思で設定される任意の位置に涼感ゾーンを形成し、その涼感ゾーンとの間に実体物を設けることなく発汗ゾーンを併存形成できるので、涼感ゾーンを任意の位置に形成しつつ発汗ゾーンを併存形成することができる。任意の位置に形成された涼感ゾーンと、発汗ゾーンとの間には実体物が設けられていないので、入浴者はそれらの間を自由に往来することができる。従って、入浴者は発汗ゾーンと、任意の位置に設けられた涼感ゾーンとの間を自らが意図したタイミングで往来することが可能となり、自身にとってより好ましいタイミングでクールダウンすることが可能となる。涼感ゾーンの形成位置は、設置工事業者や所有者といった使用者自らの意思で任意の位置に設定することができるので、例えば、浴室空間内の浴槽やカウンターや鏡や扉等の配置状況や、浴室空間を取り巻く環境に応じた狙いの位置となる任意の位置に涼感ゾーンを形成することができ、入浴者にとって使いやすくエネルギー効率の観点からも適切な位置に涼感ゾーンを形成することができる。特に、この浴室ミストサウナ装置を浴室空間に設置工事業者が設置する場合に、浴室空間の浴槽の配置状況等に応じて涼感ゾーンの形成位置を変更できるので、浴室空間の形態に応じた多くの品番を設定することなく多様な浴室空間の形態に対応させることができる。
【０００９】
更に本発明によれば、制御手段によるゾーン分離空調制御が行われている間の意図した時間帯において定常的に発汗ゾーンと涼感ゾーンとを並存形成できるので、浴室の暖気と涼気とを全て入れ替える必要が無くなり、よりエネルギー効率を向上させることもできる。尚、「実体物を設けることなく併存形成している」とは、発汗ゾーンと涼感ゾーンとが入浴者が自由に往来可能なように形成されていることを示している。換言すれば、天井から床面に渡るような物理的なカーテン等の仕切り部材で仕切っていないことを示しているものである。よって、発汗ゾーンと涼感ゾーンとの間の床から浴槽の側壁が通常のように立設されていてもよく、発汗ゾーンと涼感ゾーンとの間の天井側部材から下方に向けて、入浴者の移動を妨げない程度の長さを持つ仕切り部材が垂下して設けられていてもよい。
【００１０】
また、本願請求項２に係る浴室ミストサウナ装置は、温ミスト噴出手段及び涼水ミスト噴出手段は、洗い場領域に向けて温ミスト又は涼水ミストを噴出するための洗い場側ミストノズルと、浴槽領域に向けて温ミスト又は涼水ミストを噴出するための浴槽側ミストノズルと、を有し、温風噴出手段及び涼風噴出手段は、洗い場領域の任意の位置に向けて温風又は涼風を噴出するための洗い場側風向調整部と、浴槽領域の任意の位置に向けて温風又は涼風を噴出するための浴槽側風向調整部と、を有しており、制御手段は、洗い場側ミストノズルからの温ミスト又は涼水ミストの噴出、浴槽側ミストノズルからの温ミスト又は涼水ミストの噴出、洗い場側風向調整部からの温風又は涼風の噴出方向、及び浴槽側風向調整部からの温風又は涼風の噴出方向をそれぞれ制御することで、発汗ゾーンの形成位置と、涼感ゾーンの形成位置とを変更する。
【００１１】
この態様によれば、洗い場領域に温ミスト又は涼水ミストを選択的に噴出できるので、温ミスト及び涼水ミストのいずれか意図した方のミストを洗い場領域に噴出できる。また、洗い場領域の任意の位置に向けて温風又は涼風を噴出できるので、温風又は涼風のいずれか意図した方の風を洗い場領域の任意の位置に噴出することができる。従って、洗い場側ミストノズルと洗い場側風向調整部とを協調して作動させることで、洗い場領域の任意の位置に温風に乗せた温ミスト又は涼風に乗せた涼水ミストを搬送することができ、発汗ゾーン及び涼感ゾーンを任意の位置に形成することができる。浴槽領域においても洗い場領域と同様に、浴槽側ミストノズルと浴槽側風向調整部とを協調して作動させることで、浴槽領域の任意の位置に温風に乗せた温ミスト又は涼風に乗せた涼水ミストを搬送することができ、発汗ゾーン及び涼感ゾーンを任意の位置に形成することができる。
【００１２】
また、本願請求項３に係る浴室ミストサウナ装置は、位置設定手段によって涼感ゾーンの形成位置が設定されると、その設定された涼感ゾーンの形成位置に対応する特定の位置に発汗ゾーンの形成位置が決定され、制御手段はその決定された形成位置に発汗ゾーンを形成するようにゾーン分離空調制御を行う。この態様によれば、涼感ゾーンの形成位置が設定されると、その形成位置に対応する特定の位置に発汗ゾーンが形成されるので、涼感ゾーンの形成位置に一義的に対応する位置に発汗ゾーンが形成される。従って、使用者や入浴者が意識することなく、任意の位置に形成される涼感ゾーンに応じて予め定められる位置に発汗ゾーンを形成することができるので、涼感ゾーンの形成に悪影響を与えにくいような適切な位置に発汗ゾーンを形成することができる。
【００１３】
また、本願請求項４に係る浴室ミストサウナ装置は、位置設定手段は、予め設定された涼感ゾーンの形成位置を複数記憶しており、その複数記憶されている形成位置を候補位置として使用者によって選択可能なように構成されている。この態様によれば、予め設定されている複数の涼感ゾーンの形成位置から、使用者が好きな位置を選択できるので、使用者自らの意志を反映した任意の位置に涼感ゾーンを容易に設定できる。更に、涼感ゾーンの形成位置は候補位置として予め設定されているので、それぞれの形成位置に応じたゾーン分離空調制御の設定も予め行うことができ、使用者の意志の反映とゾーン分離空調制御設定の容易性とを両立することができる。
【００１４】
また、本願請求項５に係る浴室ミストサウナ装置は、候補位置として、浴室空間を平面視した場合の４つの対角方向を互いに分かつように分割された４つの領域が選択可能なように設定されており、位置設定手段は、涼感ゾーンの形成位置として選択された領域と対角位置にある領域を発汗ゾーンの形成位置として決定する。この態様によれば、浴室空間の４つの対角方向を互いに分かつように分割された４つの領域、すなわち浴室空間を平面視した場合の中心付近を原点とした第１象限から第４象限に相当する各領域を、涼感ゾーンの候補位置として選択可能なように構成されていると共に、発汗ゾーンは涼感ゾーンと対角の位置にある領域に設定されるので、涼感ゾーンと発汗ゾーンとを常に浴室空間の最も離れた対角位置に併存形成することができる。従って、使用者の意思を反映した任意の位置への涼感ゾーンの設定と、涼感ゾーンへの影響を極力抑えた位置への発汗ゾーンの設定とを実現することができる。
【００１５】
また、本願請求項６に係る浴室ミストサウナ装置は、制御手段が、位置設定手段によって設定された涼感ゾーンの形成位置に応じて、涼感ゾーンを形成するゾーン分離空調制御の制御態様を変更する。涼感ゾーンは浴室空間の任意の位置に設定されるので、その設定位置に応じて最適な制御態様は異なっている。従って、この態様のように、涼感ゾーンの形成位置に応じてゾーン分離空調制御の制御態様を変更することで、涼感ゾーンを浴室空間のどの位置に設定しても適切な制御態様を設定できる。
【００１６】
また、本願請求項７に係る浴室ミストサウナ装置は、制御手段は、発汗ゾーンの形成位置に応じて、発汗ゾーンを形成するゾーン分離空調制御の制御態様を変更する。発汗ゾーンは、任意の位置に設定される涼感ゾーンとは異なる位置に設定されるので、発汗ゾーンもまた、その設定位置に応じて最適な制御態様は異なっている。従って、この態様のように、発汗ゾーンの形成位置に応じてゾーン分離空調制御の制御態様を変更することで、発汗ゾーンを浴室空間のどの位置に設定しても適切な制御態様を設定できる。
【００１７】
また、本願請求項８に係る浴室ミストサウナ装置は、制御手段は、涼感ゾーン及び発汗ゾーンの形成位置に応じて、涼風噴出手段及び温風噴出手段が噴出する涼風及び温風の風量を変更する。涼感ゾーンは浴室空間の任意の位置に設定されるので、その設定位置がこの浴室ミストサウナ装置から近い場合も遠い場合も想定され、その距離に応じて最適な制御態様は異なっている。発汗ゾーンは、任意の位置に設定される涼感ゾーンとは異なる位置に設定されるので、発汗ゾーンもまた、浴室ミストサウナ装置から近い場合も遠い場合も想定される。従って、涼風及び温風の風量を、涼感ゾーン及び発汗ゾーンの形成位置に応じて変更するので、例えば、浴室ミストサウナ位置から遠い位置に形成する場合には風量を増やし、浴室ミストサウナ装置から近い位置に形成する場合には風量を減らすといった制御態様を設定することができる。
【発明の効果】
【００１８】
本発明によれば、多様な入浴者のニーズに応えることが可能で、より快適性を追求した浴室ミストサウナ装置を提供することができるのみならず、快適感と省エネ性能をも両立させることができる。
【発明を実施するための最良の形態】
【００１９】
以下、添付図面を参照しながら本発明の好適な実施の形態について説明する。説明の理解を容易にするため、各図面において同一の構成要素に対しては可能な限り同一の符号を付して、重複する説明は省略する。
【００２０】
本発明の実施形態に係る浴室ミストサウナ装置を使用する態様について図１を参照しながら説明する。図１は、浴室ミストサウナ装置を構成する浴室空調機本体１０を浴室ユニットＢＲに取り付けた一例を説明するための図である。
【００２１】
浴室ユニットＢＲは、集合住宅や戸建住宅に浴室を設ける際に用いられるものであり、壁、床、天井、浴槽といった構成部材を組み立てて浴室とするものである。浴室ユニットＢＲは、床部材２０と、壁部材２１，２２，２３と、天井部材２４とを備えている。壁部材２１，２２，２３は床部材２０の周囲に立設させて取り付けられている。壁部材２１と壁部材２３とは互いに対向した位置に設けられている。壁部材２２は、壁部材２１と壁部材２３とに隣接して設けられている。尚、図１には明示しないが、壁部材２２と対向する位置に壁部材が設けられており、この壁部材は壁部材２１と壁部材２３とに隣接している。また、床部材２０と対向するように天井部材２４が設けられている。
【００２２】
壁部材２１には、窓２１１が設けられている。この窓２１１は、窓ガラスを窓枠によって保持することで構成されている。窓枠は壁部材２１にはめ込まれている。壁部材２２には、カウンター部分２２１と収納棚２２３とが設けられている。カウンター部分２２１にはシャワー水栓２２２が取り付けられている。壁部材２３には、浴室ユニットＢＲに出入りするための扉２３１が設けられている。
【００２３】
床部材２０には浴槽ＢＴが設けられている。浴槽ＢＴは直方体を成す升状の形態となっており、浴槽ＢＴを構成する四つの壁のうちの三つの壁が壁部材２１，２２及び図１に明示しない壁部材に沿って配置されている。従って、浴槽ＢＴの一つの壁は床部材２０の略中央付近に立設された状態になっている。
【００２４】
天井部材２４は、平坦な天井部分２４１とドーム型の天井部分２４２とで構成されている。天井部分２４１は浴槽ＢＴの略直上に、天井部分２４２は浴槽ＢＴが設けられていない床部材２０の略直上にそれぞれ配置されている。天井部分２４１には浴室空調機本体１０が取り付けられている。浴室空調機本体１０から噴出されるミストや風は、ルーバー（図１においては明示しない）によって浴室ユニットＢＲ内の意図した部分に噴出することが可能なように構成されている。
【００２５】
引き続いて、本実施形態である浴室ミストサウナ装置によって実現可能なゾーン空調制御について説明する。ゾーン空調制御とは、浴室空間を意図的に異なるゾーンに分離して空調制御を行うゾーン分離空調制御と、浴室空間を単一ゾーンとして空調制御を行う単一ゾーン空調制御とを含む概念である。図２は、ゾーン空調制御を示す図である。図２の（ａ）はゾーン空調制御の第１段階を、図２の（ｂ）はゾーン空調制御の第２段階を、図２の（ｃ）はゾーン空調制御の第３段階を、それぞれ示している。
【００２６】
尚、図２においては、浴槽ＢＴのリムの一端にベンチＢＴ１が、浴槽ＢＴの内側にベンチＢＴ２が、それぞれ形成されている。また、図１で説明した浴室ユニットＢＲとは反対側の壁面にベンチカウンター２２４が設けられており、ベンチカウンター２２４が設けられている壁面には鏡２２５が設けられている。
【００２７】
図２の（ａ）に示すゾーン空調制御の第１段階では、ベンチカウンター２２４に着座している入浴者Ｈに発汗を促すように温ミストＨＭ及び温風ＨＷを噴出する。この第１段階では、入浴者Ｈの近傍を高温多湿の発汗ゾーンＨＺとするので、温ミストＨＭ及び温風ＨＷは、予め定められた位置であるベンチカウンター２２４近傍に向けて噴出されている。
【００２８】
ここで、温ミストＨＭ及び温風ＨＷを噴出する様子を図３を参照しながら説明する。図３の（ａ）は、鏡２２５が設けられた壁面側から浴室ユニットＢＲを見通した図である。図３の（ｂ）は、天井側から浴室ユニットＢＲを見通した図である。図３の（ａ）及び（ｂ）に示すように、浴室空調機本体１０から温ミストＨＭ及び温風ＨＷが噴出されている。温ミストＨＭ及び温風ＨＷは、ベンチカウンター２２４に着座した入浴者Ｈに効果的に当たるように、浴室ユニットＢＲの略中央付近に立設している浴槽ＢＴの側壁ＢＴ３に当たらないような角度で噴出されている。温ミストＨＭ及び温風ＨＷは、洗い場側から浴槽ＢＴ側を見る方向において、洗い場の全幅に渡るように噴出されている。
【００２９】
従って、少なくともベンチカウンター２２４の近傍を含む洗い場一帯が発汗ゾーンＨＺとなっており、図３の場合には浴室ユニットＢＲ内部のほぼ全域が発汗ゾーンＨＺとなっている。この場合において、浴室ユニットＢＲ内は単一ゾーン空調制御が行われるモードでゾーン空調制御されており、少なくともベンチカウンター２２４の近傍に発汗ゾーンＨＺが形成されると共に、実質的には浴室ユニットＢＲ内部のほぼ全域に発汗ゾーンＨＺが形成されている。
【００３０】
図２に戻り、図２の（ｂ）に示すゾーン空調制御の第２段階では、浴室空調機本体１０から噴出される温ミストＨＭ及び温風ＨＷは、ベンチカウンター２２４の近傍に絞って噴出されている。より具体的には、図２の（ａ）に比較して、浴室ユニットＢＲ全体に広がっていた発汗ゾーンを狭め、浴室ユニットＢＲの洗い場側に含まれる所定の領域内に収め、この発汗ゾーンの集約の結果開放された領域に入浴者Ｈが清涼感を感じうる涼感ゾーンを形成している。
【００３１】
より具体的に、この第２段階では、温風ＨＷの方向を浴室ユニットＢＲの洗い場側に含まれる所定の領域に向けて集約させることで発汗ゾーンを集約している。この場合、温ミストＨＭ及び温風ＨＷは、ベンチカウンター２２４の周辺に向けて噴出されているので、ベンチＢＴ１やベンチＢＴ２の周辺は、ベンチカウンター２２４の周辺に比較して入浴者Ｈが清涼感を感じうる涼感ゾーンになっている。従って、ベンチカウンター２２４に着座してミストサウナ浴を行っていた入浴者Ｈが息苦しくなどなった場合には、ベンチＢＴ１やベンチＢＴ２に退避して清涼感を感じることができる。ベンチＢＴ１やベンチＢＴ２は、入浴者Ｈが着座して休息することが可能なように構成されており、入浴者Ｈにとっての休息領域として設けられている。このゾーン空調制御の第２段階においては、発汗ゾーンを集約して休息領域を開放し、涼感ゾーンに含めている。
【００３２】
上述したように、このゾーン空調制御の第２段階では、浴室ユニットＢＲ内に発汗ゾーンと涼感ゾーンとが形成されるゾーン分離空調制御が行われるモードでゾーン空調制御されている。また、発汗ゾーンはベンチカウンター２２４の近傍に形成されており、涼感ゾーンはベンチＢＴ１及びベンチＢＴ２の周辺に形成されている。
【００３３】
従って、入浴者Ｈがミストサウナ浴をして発汗しようとする際にベンチカウンター２２４に着座する領域は少なくとも、温ミスト雰囲気が維持される発汗ゾーンとなるように継続的に制御されている。従って、図２の（ｂ）に示すように入浴者Ｈが退避した後に、サイクル入浴（ミストサウナ浴と退避とを交互に行う入浴）のためにベンチカウンター２２４の発汗ゾーンに戻って来た場合には、即座に快適なミストサウナ浴を楽しむことができる。
【００３４】
続いて、図２の（ｃ）に示すゾーン空調制御の第３段階では、浴室空調機本体１０から噴出される温ミストＨＭ及び温風ＨＷは図２の（ｂ）に示す第２段階よりも更に集約されている。この第３段階では、ベンチＢＴ２の領域に向けて涼風ＣＷ及び涼水ミストＣＭを噴出している。従って、ベンチカウンター２２４に着座してミストサウナ浴を行っていた入浴者Ｈが息苦しくなったり、特に暑くなったりした場合には、ベンチＢＴ２に退避することでより効果的に清涼感を感じることができる。また、浴槽ＢＴに水Ｗを張っておくことで入浴者Ｈの足元を冷やすことができ、更により効果的に清涼感を感じることができる。
【００３５】
図４は、ゾーン空調制御の第３段階を説明するための図である。図４の（ａ）は、鏡２２５が設けられた壁面側から浴室ユニットＢＲを見通した図であり、図４の（ｂ）は、浴室ユニットＢＲを天井側から見通した図である。図４の（ａ）に示すように、浴室空調機本体１０から温ミストＨＭ及び温風ＨＷが、ベンチカウンター２２４に着座した入浴者Ｈに効果的に当たるように、浴槽ＢＴの側壁ＢＴ３に当たらないような角度で噴出されている。また、涼水ミストＣＭ及び涼風ＣＷは、浴槽ＢＴ内に向けて噴出され、浴槽ＢＴ内及びその上部空間に滞留している。従って、ベンチＢＴ２の近傍において、入浴者Ｈを取り囲んで、入浴者Ｈを略内包するような大きさの空間としての涼感ゾーンＣＺを確実に形成するように制御されている。入浴者を略内包するような大きさとは、入浴者がそこに入ったことを実感可能な程度の大きさであれば足り、必ずしも入浴者全体を内包する必要はない。例えば、上半身のみを内包してもよく、上半身及び膝から上の下半身を内包してもよい。
【００３６】
図４の（ｂ）に示すように、涼感ゾーンＣＺは、浴室ユニットＢＲを平面視した場合の図中左上方に形成され、発汗ゾーンＨＺは、浴室ユニットＢＲを平面視した場合の図中右下方に形成されている。従って、涼感ゾーンＣＺ及び発汗ゾーンＨＺは、浴室ユニットＢＲを平面視した場合の対角方向に引き離されて形成されている。このように引き離して形成することにより、温ミストＨＭ及び温風ＨＷと、涼水ミストＣＭ及び涼風ＣＷとが混ざり合いにくく、発汗ゾーンＨＺと涼感ゾーンＣＺとが混ざり合うことなく効果的に形成できる。
【００３７】
なお、本実施形態では、浴槽ＢＴ内に水Ｗを張ることで、足元まで涼水ミストＣＭ及び涼風ＣＷで涼感を与える必要がないように工夫をしている。これは、浴室ユニットＢＲ内に涼水ミストＣＭ及び涼風ＣＷを噴出する量を増やすのに応じて浴室ユニットＢＲ内の温度は必然的に低下し、発汗ゾーンＨＺの温ミスト雰囲気を維持するためにエネルギー消費が過大に起こるので、涼水ミストＣＭ及び涼風ＣＷの噴出量を極力増やさないようにするためである。また、足元を冷やすことで強い涼感を人間は得ることができるためでもある。いずれにしても、涼水ミストＣＭ及び涼風ＣＷの噴出量を極力増やさずに適度で快適な涼感を得ることができるようにすることで、発汗ゾーンＨＺの温度降下を抑制し、発汗ゾーンＨＺのミスト環境確保のための無駄なエネルギー消費を抑制して快適なサイクル入浴を提供できるようにしている。
【００３８】
上述したゾーン空調制御の第３段階の別例について、図５〜図８を参照しながら説明する。図５及び図６は、洗い場側に涼感ゾーンＣＺと発汗ゾーンＨＺとを併存形成する例を示す図である。図７及び図８は、洗い場側に涼感ゾーンＣＺを、浴槽側に発汗ゾーンＨＺをそれぞれ対角形成する例を示す図である。
【００３９】
まず、洗い場側に涼感ゾーンＣＺと発汗ゾーンＨＺとを併存形成する例について図５及び図６を参照しながら説明する。図５に示す例では、浴室空調機本体１０から噴出される温ミストＨＭ及び温風ＨＷは図２の（ｂ）に示す第２段階よりも更に集約されており、図２の（ｃ）と同様である。また、ベンチＢＴ１の領域に向けて涼水ミストＣＭ及び涼風ＣＷを噴出している。涼水ミストＣＭ及び涼風ＣＷの噴出は、涼水ミストＣＭ及び涼風ＣＷが床近傍に届かない程度に抑制されている。従って、ベンチカウンター２２４に着座してミストサウナ浴を行っていた入浴者Ｈが息苦しくなったり、特に暑くなったりした場合には、ベンチＢＴ１に退避することでより効果的に清涼感を感じることができる。ベンチＢＴ１に退避した場合であっても、涼水ミストＣＭ及び涼風ＣＷが床近傍に届かない程度に噴出されているので、退避した入浴者Ｈの足元が冷えすぎることがなく、快適に清涼感を感じることができる。
【００４０】
図６の（ａ）は、鏡２２５が設けられた壁面側から浴室ユニットＢＲを見通した図であり、図６の（ｂ）は、浴室ユニットＢＲを天井側から見通した図である。図６の（ａ）に示すように、涼水ミストＣＭ及び涼風ＣＷは、ベンチＢＴ１に着座した入浴者Ｈに効果的に当たるように、ベンチＢＴ１のやや上方を通り過ぎるような角度で噴出されている。一方、温ミストＨＭ及び温風ＨＷは、図４の（ａ）に示したのと同様に、ベンチカウンター２２４に着座した入浴者Ｈに効果的に当たるように、浴槽ＢＴの側壁ＢＴ３に当たらないような角度で噴出されている。
【００４１】
図６の（ｂ）に示すように、涼感ゾーンＣＺは、浴室ユニットＢＲを平面視した場合の右上方に形成され、発汗ゾーンＨＺは、浴室ユニットＢＲを平面視した場合の右下方に形成されている。従って、涼感ゾーンＣＺ及び発汗ゾーンＨＺは、洗い場領域に併存形成されている。
【００４２】
図６の（ａ）に示すように、涼水ミストＣＭ及び涼風ＣＷは、床面まで届かないような強さで噴出されている。従って、浴室ユニットＢＲを平面視した場合に涼感ゾーンＣＺが形成されている場所であっても、その床面付近には温ミストＨＭ及び温風ＨＷが流れ込み、涼感ゾーンＣＺにいる入浴者Ｈの足元が冷えすぎないように構成されている。
【００４３】
続いて、洗い場側に涼感ゾーンＣＺを、浴槽側に発汗ゾーンＨＺをそれぞれ対角形成する例について図７及び図８を参照しながら説明する。
【００４４】
図７に示す例では、浴室空調機本体１０から噴出される温ミストＨＭ及び温風ＨＷは、浴槽ＢＴのベンチＢＴ２の領域に向けて噴出されている。また、涼水ミストＣＭ及び涼風ＣＷは、ベンチカウンター２２４に向けて噴出されている。従って、ベンチＢＴ２に着座してミストサウナ浴を行っていた入浴者Ｈが息苦しくなったり、特に暑くなったりした場合には、ベンチカウンター２２４に退避することで効果的に清涼感を感じることができる。
【００４５】
図８の（ａ）は、鏡２２５が設けられた壁面側から浴室ユニットＢＲを見通した図であり、図８の（ｂ）は、浴室ユニットＢＲを天井側から見通した図である。図８の（ａ）に示すように、涼水ミストＣＭ及び涼風ＣＷは、ベンチカウンター２２４に着座した入浴者Ｈに効果的に当たるように、浴槽ＢＴの側壁ＢＴ３に当たらないような角度で噴出されている。一方、温ミストＨＭ及び温風ＨＷは、ベンチＢＴ１に着座した入浴者Ｈに効果的に当たるように、浴槽ＢＴ内に向けて噴出されている。
【００４６】
図８の（ｂ）に示すように、涼感ゾーンＣＺは、浴室ユニットＢＲを平面視した場合の右下方に形成され、発汗ゾーンＨＺは、浴室ユニットＢＲを平面視した場合の左上方に形成されている。従って、涼感ゾーンＣＺ及び発汗ゾーンＨＺは、浴室ユニットＢＲを平面視した場合の対角方向に引き離されて形成されている。従って、温ミストＨＭ及び温風ＨＷと、涼水ミストＣＭ及び涼風ＣＷとが混ざり合いにくく、発汗ゾーンＨＺと涼感ゾーンＣＺとが効果的に形成できる。
【００４７】
引き続いて、本実施形態である浴室ミストサウナ装置について説明する。図９は、浴室ミストサウナ装置ＭＳのブロック構成図である。
【００４８】
図９に示すように、浴室ミストサウナ装置ＭＳは、ＣＰＵ４０（制御手段）と、ＲＯＭ・ＲＡＭからなる記憶部４１（制御手段）と、洗面所リモコン４２と、浴室内リモコン４３と、第１水温センサー４４と、第２水温センサー４５と、第１温度センサー４６と、第２温度センサー４７と、浴室湿度センサー４８と、洗面所湿度センサー４９と、第１可動ルーバー用モータ５０（洗い場側風向調整部）と、第１可動ルーバー５０１（洗い場側風向調整部）と、第２可動ルーバー用モータ５１（浴槽側風向調整部）と、第２可動ルーバー５１１（浴槽側風向調整部）と、給水・給湯装置５２と、循環ファン駆動モータ５３と、循環ファン５３１と、ポンプ駆動モータ５４と、ミストポンプ５４１と、ダンパー駆動モータ５５と、循環・換気切替ダンパー５５１と、メインバルブ５６と、第１ミストバルブ５７と、第２ミストバルブ５８と、排水バルブ５９と、暖房ヒータ６０と、スイッチ６０１と、暖房ヒータ６１と、スイッチ６１１と、暖房ヒータ６２と、スイッチ６２１と、ミストヒータ６３と、スイッチ６３１と、ミストヒータ６４と、スイッチ６４１と、を備えている。引き続いて、各構成要素について説明する。
【００４９】
ＣＰＵ４０は、他の各構成要素から出力される指示信号や状態表示信号を受信し、その受信した信号に基づいて所定の情報処理を行う演算装置である。ＣＰＵ４０は、記憶部４１に格納されているソフトウェアを読み込んで情報処理を行う。
【００５０】
洗面所リモコン４２は、浴室ミストサウナ装置ＭＳが取り付けられる住宅の洗面所に配置されるリモコンである。洗面所リモコン４２に入力される指示は、指示信号としてＣＰＵ４０に送信される。
【００５１】
洗面所リモコン４２の操作パネルの一例を図１０に示す。図１０に示すように、洗面所操作パネル４２１は、操作・表示領域４２ａと、操作領域４２ｂとを備えている。操作領域４２ｂは、蓋４２ｃによって覆うことが可能なように構成されている。
【００５２】
操作・表示領域４２ａには、「止」ボタン、「換気」ボタン、「衣類乾燥」ボタン、「暖房」ボタン、「涼風」ボタン、「２４時間換気」ボタン、「温ミスト」ボタン、「浴室乾燥」ボタン、表示部、「予約」ボタン、「＋」ボタン、「−」ボタンが設けられている。
【００５３】
「止」ボタンは、他のボタンを押下することによって作動中の動作を停止させるためのボタンである。「換気」ボタンは、洗面所内の換気を行うためのボタンであって、このボタンを押下することで、洗面所に設置されている換気装置（図示しない）の動作が開始される。また、「換気」ボタンの押下を繰り返すと、換気装置による換気量が多くなったり、浴室側の換気を停止したりすることができる。この動作の切り替えに応じて、「換気」ボタンの上側に設けられている「強」ランプや「浴室止」ランプが点灯する。
【００５４】
「衣類乾燥」ボタンは、浴室において衣類乾燥を行うためのボタンであって、このボタンを押下することで、ダンパー駆動モータ５５が駆動されて、循環・換気ダンパー５５１が換気側に移動する。また、循環ファン駆動モータ５３が駆動されて、循環ファン５３１が回転する。「衣類乾燥」ボタンの押下を繰り返すと、循環ファン駆動モータ５３の回転数が上昇したり下降したりする。この回転数の切り替えに応じて、「衣類乾燥」ボタンの上側に設けられている「強」ランプや「弱」ランプが点灯する。
【００５５】
「暖房」ボタンは、浴室内において暖房を行うためのボタンであって、このボタンを押下することで、スイッチ６０１，６１１，６２１が閉じられて、暖房ヒータ６０，６１，６２にそれぞれ通電される。「暖房」ボタンの押下を繰り返すと、スイッチ６０１，６１１，６２１のいずれかが開かれて、暖房ヒータ６０，６１，６２への通電が制御される。この通電制御の切り替えに応じて、「暖房」ボタン」上側に設けられている「強」ランプや「弱」ランプが点灯する。
【００５６】
「涼風」ボタンは、浴室内に涼風を噴出させるためのボタンであって、このボタンを押下することで、スイッチ６０１，６１１，６２１が開かれて、暖房ヒータ６０，６１，６２への通電が停止されると共に、ダンパー駆動モータ５５が駆動されて循環・換気切替ダンパー５５１が循環側に移動する。また、循環ファン駆動モータ５３が駆動されて循環ファン５３１が回転する。「涼風」ボタンの押下を繰り返すと、循環ファン駆動モータ５３の回転数が上昇したり下降したりする。この回転数の切り替えに応じて、「涼風」ボタンの上側に設けられている「強」ランプや「弱」ランプが点灯する。
【００５７】
「２４時間換気」ボタンは、「換気」ボタンによる換気を常に行うためのボタンである。「２４時間換気」ボタンの押下を繰り返すと、通常モードの２４時間換気と、暖房ヒータ６０，６１，６２に通電される冬季モードの２４時間換気とが切り替えられる。この切り替えに応じて、「２４時間換気」ボタンの上側に設けられている「通常」ランプや「冬季」ランプが点灯する。
【００５８】
「温ミスト」ボタンは、浴室内に温ミストを噴出させるためのボタンである。「温ミスト」ボタンを押下すると、スイッチ６３１，６４１が閉じられてミストヒータ６３，６４に通電される。また、ポンプ駆動モータ５４が回転してミストポンプ５４１が駆動され、メインバルブ５６、第１ミストバルブ５７及び／又は第２ミストバルブ５８が開かれて浴室内に温ミストが噴出される。
【００５９】
「浴室乾燥」ボタンは、浴室内を乾燥させるためのボタンである。「予約」ボタンは、上記各動作を行わせる時刻を予約するモードに切り替えるためのボタンである。「＋」ボタン「−」ボタンは、予約モードにおける時刻を調整するためのボタンである。「浴室乾燥」ボタンと「予約」ボタンとの間に配置されている表示部は、予約動作の開始時刻等を表示するための部分である。
【００６０】
操作領域４２ｂには、「温度」ボタン、「風向」ボタン、「音量」ボタン、「時計」ボタンが配置されている。
【００６１】
「温度」ボタンは、温ミストの温度を調整するためのボタンである。「温度」ボタンを押下すると、ミストヒータ６３，６４への通電が制御されて温ミストの温度が調整される。「温度」ボタンを繰り返し押下すると、温ミストの温度が高温、中温、低温と切り替わり、この切り替えに応じて「温度」ボタンの上側に配置されている「高」ランプや「中」ランプや「低」ランプが点灯する。
【００６２】
「風向」ボタンは、暖房風や涼風の噴出し方向を変えるためのボタンである。「風向」ボタンを押下すると、第１可動ルーバー用モータ５０や第２可動ルーバー用モータ５１が回転し、第１可動ルーバー５０１や第２可動ルーバー５１１が駆動される。
【００６３】
「音量」ボタンは、音響装置（図示しない）の音量を調整するためのボタンである。「時計」ボタンは、操作・表示領域４２ａの表示部に表示される時計を調整するためのボタンである。
【００６４】
図９に戻り、浴室内リモコン４３は、浴室ミストサウナ装置ＭＳが取り付けられる住宅の浴室に着脱自在で入浴者が取り外して手元で操作が可能なように設置されている。浴室内リモコン４３に入力される指示は、無線電波を利用して指示信号としてＣＰＵ４０に送信される。
【００６５】
浴室内リモコン４３の操作パネルの一例を図１１に示す。図１１に示すように、浴室操作パネル４３１は、表示領域４３ａと、操作領域４３ｂと、タッチパネル式のクールダウン操作・表示領域４３ｃと、ミスト操作領域４３ｄとを備えている。
【００６６】
表示領域４３ａには、時刻の表示や浴室ミストサウナ装置ＭＳの運転状況の表示がなされる。運転状況の表示としては、「クールダウン中」であるとの表示や、発汗ゾーンの温度の表示や、涼感ゾーンの温度の表示が含まれる。
【００６７】
操作領域４３ｂには、「電源」ボタン４３ｂａ、「止」ボタン４３ｂｂ、「暖房」ボタン４３ｂｃ、「換気」ボタン４３ｂｄ、「ミストサウナ」ボタン４３ｂｅ、「温冷ミスト」ボタン４３ｂｆ、「足湯給湯」ボタン４３ｂｇが設けられている。
【００６８】
「電源」ボタン４３ｂａは、浴室ミストサウナ装置ＭＳの主電源を投入するためのボタンである。「電源」ボタン４３ｂａを押下すると主電源が投入され、再度押下すると主電源を切ることができる。「止」ボタン４３ｂｂは、他のボタンを押下することによって作動中の動作を停止させるためのボタンである。
【００６９】
「暖房」ボタン４３ｂｃは、浴室内において暖房を行うためのボタンであって、このボタンを押下することで、スイッチ６０１，６１１，６２１が閉じられて、電気式の暖房ヒータ６０，６１，６２にそれぞれ通電される。また、循環ファン駆動モータ５３が駆動されて、循環ファン５３１が駆動される。
【００７０】
「換気」ボタン４３ｂｄは、浴室の湿度や温度の状態に応じて換気時間を設定して最適な時間自動的に換気を行うためのボタンであって、このボタンを押下することで、ダンパー駆動モータ５５が駆動されて、循環・換気ダンパー５５１が換気側に移動する。また、循環ファン駆動モータ５３が駆動されて、循環ファン５３１が上記設定された時間だけ回転する。
【００７１】
「ミストサウナ」ボタン４３ｂｅは、ミストサウナ浴を行う際に用いるボタンであって、このボタンを押下すると、スイッチ６３１が閉じられてミストヒータ６３に通電される。また、ポンプ駆動モータ５４が回転してミストポンプ５４１が駆動され、メインバルブ５６、第１ミストバルブ５７及び第２ミストバルブ５８が開かれて浴室内に温ミストが噴出される。また、前記した暖房が行われる。
【００７２】
「温冷ミスト」ボタン４３ｂｆは、温ミストと涼水ミストを交互に噴出するためのボタンである。このボタンを押下すると、スイッチ６３１，６４１が断続的に開閉されてミストヒータ６３，６４がＯＮ、ＯＦＦされる。また、ポンプ駆動モータ５４が回転してミストポンプ５４１が駆動され、メインバルブ５６、第１ミストバルブ５７及び／又は第２ミストバルブ５８が開かれて浴室内に温ミスト及び涼水ミストが単一のノズルから交互に噴出される。この温冷ミストは、素肌に熱冷刺激を与えてお肌を引き締めたり、リラックスしたりするために行うものである。
【００７３】
「足湯給湯」ボタン４３ｂｇは、浴槽へ給湯するためのボタンである。このボタンを押下すると、給水・給湯装置５２から浴槽へ２０センチ程度給湯され、浴槽を足湯として用いることができる。これは、ミストサウナ入浴中の発汗を高める為に足湯状態でミストサウナが楽しめるようにしたものである。また、これにより、温ミストＨＭ及び温風ＨＷを足元まで噴出させる必要がなくなるため、発汗ゾーンの形成を速くできるとともに、温ミストＨＭ及び温風ＨＷの噴出量を抑制できるためランニングコストを抑制できるという効果を奏することができる。
【００７４】
クールダウン操作・表示領域４３ｃはタッチパネル構造として構成されており、タッチ操作することで色が反転するように構成されている。操作ボタンとしては、「涼風」ボタン４３ｃａと、「涼水ミスト」ボタン４３ｃｂと、「足水給水」ボタン４３ｃｃと、「エスケープモード」ボタン４３ｃｄと、「頭寒足熱モード」ボタン４３ｃｅと、「露天風呂モード」ボタン４３ｃｆとが設けられている。例えば、図１１に現在示されている状態では、「エスケープモード」ボタン４３ｃｄが操作されていることがわかるようにボタンの色が反転しており、エスケープモードを運転していることが見て取れる。エスケープモードとは、上記説明した涼感ゾーンを形成するモードである。これによって、表示領域４３ａにクールダウン中であることが表示され、エスケープモードであるため、発汗ゾーンが３６℃に設定され、涼感ゾーンが２５℃に設定され、かつクールダウンするための涼感ゾーンの構築時間が１分と設定されていることが読み取れる。
【００７５】
「涼風」ボタン４３ｃａは、ミストサウナや入浴中において、クールダウンするために予め決定されている涼感ゾーンに強制的に涼風だけを高回転で噴出させるためのボタンであって、このボタンを押下することで、スイッチ６０１が開かれて、暖房ヒータ６０が通電されていれば停止すると共に、ダンパー駆動モータ５５が駆動されて循環・換気切替ダンパー５５１が循環側に移動する。また、循環ファン駆動モータ５３が駆動されて循環ファン５３１が高速に回転する。
【００７６】
「涼水ミスト」ボタン４３ｃｂは、ミストサウナや入浴中において、クールダウンするために涼感ゾーンに強制的に低温の涼水ミストを最大量噴出させるためのボタンである。「涼水ミスト」ボタン４３ｃｂを押下すると、ポンプ駆動モータ５４が最大回転してミストポンプ５４１が駆動され、メインバルブ５６、第１ミストバルブ５７及び／又は第２ミストバルブ５８が開かれて浴室内に設定されている涼感ゾーンに涼水ミストが最大量噴出される。
【００７７】
「足水給水」ボタン４３ｃｃは、浴槽内へ常温の水もしくは、予め決定された低温の温度の水を足元が浸かる程度の２０センチ程度給水するためのボタンである。このボタンを押下すると、給水・給湯装置５２から浴槽へ給水され、浴槽をクールダウン空間として利用することができる。これは、スポーツ後などで足の疲れを癒す為に冷却したり、ミストサウナ入浴中に浴槽側で一時的にクールダウンしたりする際に足元を冷やして強い涼感を与えるために使用されることを想定しているものである。
【００７８】
「エスケープモード」ボタン４３ｃｄは、本実施形態のポイントとなる操作ボタンであり、このボタンは、ミストサウナ中に限って使用できるものであり、それ以外の時に操作されても受け付けないように構成されている。「ミストサウナ」ボタン４３ｂｅが操作された状態では、浴槽内全体が発汗ゾーンとして構築されているが、「エスケープモード」ボタン４３ｃｄを押下することで、設定された涼感ゾーンに対して涼水ミストＣＭ及び涼風ＣＷの噴出が予め決定された仕様に基づいて開始される。これによって、ミストサウナ中の入浴者が、息苦しくなったり、暑くなったりしたときに浴室を出ることなく快適にクールダウンが図れ、発汗ゾーンと涼感ゾーンを移動することで待ち時間や移動の苦労なくサイクル入浴を楽しむことができ、快適に長時間の発汗を行え、美肌や健康の促進を図ることができる。
【００７９】
「頭寒足熱モード」ボタン４３ｃｅも、ミストサウナ中に限って使用できるものであり、それ以外の時に操作されても受け付けないように構成されている。「ミストサウナ」ボタン４３ｂｅが操作された状態では、浴槽内全体が発汗ゾーンとして構築されているが、この「頭寒足熱モード」ボタン４３ｃｅを押下することで、設定された発汗ゾーンにおける入浴者の頭部があると思われる領域に涼水ミストＣＭ及び涼風ＣＷを噴出するものである。これに変えて、温ミストＨＭを頭部領域から一時的に退避させるようなことであっても良い。いずれにしてもこの頭寒足熱モードは、ミストサウナ中の入浴者が息苦しいと感じたときに一時的に顔だけでも退避したいと思ったときに使用することを想定しており、「エスケープモード」ボタン４３ｃｄを押下する場合が息苦しさよりも暑いと感じている状態で、クールダウン要求の程度が頭寒足熱モードの方が軽いと想定している。エスケープモード、頭寒足熱モードを使い分けることで一層快適なミストサウナ入力が行える。
【００８０】
「露天風呂モード」ボタン４３ｃｆは、ミストサウナ中だけでなく、いつでも使用できるように構成されているものである。「露天風呂モード」ボタン４３ｃｆは、湯船に浸かっている入浴者が使用することを想定しているものであって、湯船入浴中において、露天風呂のように頭部が涼しく感じられるように浴槽側の空間に対して涼水ミストＣＭ及び涼風ＣＷを噴出させるものである。これによって、頭がのぼせることなく快適に入浴を行えるものである。
【００８１】
ミスト操作領域４３ｄには、「ミスト感」ボタン４３ｄａと、「涼感」ボタン４３ｄｂと、「風速」ボタン４３ｄｃと、「風向き」ボタン４３ｄｄ，４３ｄｅとが設けられている。
【００８２】
「ミスト感」ボタン４３ｄａは、「上」側を押下すると浴室内の温度を高めるとともに、相対湿度も高めるようにミスト量を増やし、「下」側を押下すると浴室内の温度を下げるとともに、相対湿度が下がる為ミスト量を減らすように構成されている。この「ミスト感」ボタン４３ｄａを操作することで表示パネル４３ａのＨＯＴ側の温度表示が連動して上下するように構成されている。
【００８３】
「涼感」ボタン４３ｄｂは、涼感ゾーンにおける清涼感を増減させるためのボタンである。「涼感」ボタン４３ｄｂの「上」側を押下すると涼感程度を強める為に涼感ゾーンの涼水ミストＣＭ及び涼風ＣＷの温度を下げ、涼水ミストＣＭ及び涼風ＣＷが涼水ミストの場合であればミスト粒径を大きくするように制御される。また、涼水ミストＣＭ及び涼風ＣＷの噴出量を強めるような対策も取られ、これらによって、涼感程度が強く感じられるように制御される。反対に「下」側を押下すると涼感ゾーンの清涼感が低下するように上記と反対の制御が行われる。また、この「涼感」ボタン４３ｄｂを操作することで表示パネル４３ａのＣＯＯＬ側の温度表示が連動して上下するように構成されている。
【００８４】
「風速」ボタン４３ｄｃは、暖房風や涼風の噴出し速度を変更するためのボタンである。「風速」ボタン４３ｄｃの「高」側を押下すると風速が高くなり、「低」側を押下すると風速が低くなる。
【００８５】
「風向き」ボタン４３ｄｄ，４３ｄｅは、発汗ゾーンに対する風向と範囲を独立して変更する発汗側十字ボタンである「風向き」ボタン４３ｄｄと、涼感ゾーンに対する風向と範囲を独立して変更する涼感側十字ボタンである「風向き」ボタン４３ｄｅとに分けて設けられており、暖房風や涼風の噴出し方向を変えるためのボタンである。発汗側の「風向き」ボタン４３ｄｄを押下すると、発汗ゾーン側に設定されている可動ルーバー用モータである第１可動ルーバー用モータ５０又は第２可動ルーバー用モータ５１が回転し、発汗ゾーン側に設定されている可動ルーバーである第１可動ルーバー５０１又は第２可動ルーバー５１１が駆動される。涼感側の「風向き」ボタン４３ｄｅを押下すると、涼感ゾーン側に設定されている可動ルーバー用モータである第１可動ルーバー用モータ５０又は第２可動ルーバー用モータ５１が回転し、涼感ゾーン側に設定されている可動ルーバーである第１可動ルーバー５０１又は第２可動ルーバー５１１が駆動される。
【００８６】
浴室内リモコン４３には浴室操作パネル４３１の裏側に詳細設定パネルが設けられている。図１２に詳細設定パネル４３２の例を示す。詳細設定パネル４３２は、図１２に示すように設定画面４３２ａと、操作キー４３２ｂとが設けられている。
【００８７】
図１２に示すように、エスケープモードにおける詳細設定パネル４３２では、大項目として「涼感条件設定」「涼感ゾーンの構築条件設定」「分離形態」が設定可能なように表示されている。
【００８８】
「涼感条件設定」には、「ＡＵＴＯ」と「マニュアル設定」との二つの条件が設けられている。「ＡＵＴＯ」では、涼感ゾーンに対する涼感程度と、発汗ゾーンに対するミスト環境の維持を自動に最適化するものであるが、ＡＵＴＯ設定でもその程度を変更できるように「発汗ゾーンの温度維持優先」か「涼感ゾーンの涼感優先」かが選択できる。これは、涼感ゾーンを形成するに当たり、涼水ミストＣＭ及び涼風ＣＷを噴出すると、ゾーン分離制御を行っても必然的に発汗ゾーンの温度が降下してしまうことに起因する。涼感を得たいという要求と、次にサイクル入浴のために発汗ゾーンに入った場合における発汗ゾーンのミスト環境を最適に保っておきたいという相反する要求と、を如何にしておきたいかという程度を使用者の要求に合わせられるようにしているものである。
【００８９】
「発汗ゾーンの温度維持優先」を選択すると、発汗ゾーンの温度が下がらず、涼感ゾーンから発汗ゾーンに戻って来た際に待つことなく快適なミストサウナ浴ができるようにすることを優先するものであって、ＣＰＵ４０が暖房ヒータ６０，６１，６２に通電し、温度を高めるようにしているとともに、涼水ミストＣＭ及び涼風ＣＷの温度を高めに、かつ涼水ミストＣＭ及び涼風ＣＷの噴出量を少なくしている。一方、「涼感ゾーンの涼感優先」を選択すると、発汗ゾーンの温度が若干低下し、快適なミスト環境になるまで若干の時間を必要としても涼感ゾーンにおける涼感をより最適に得ることができるようにＣＰＵ４０が暖房ヒータ６０，６１，６２への通電を抑制する一方で、所定期間温ミストの噴出を停止したり、涼水ミストＣＭ及び涼風ＣＷの温度を下げかつ噴出量も多くなるようにしたりする制御を行っている。
【００９０】
「マニュアル設定」では、涼感を得る程度や制御内容を好みの嗜好に合わせて細かく設定するものであって、「エスケープモード」ボタン４３ｃｄを操作した際に設定内容に沿って制御されるようにするものである。内容的には、「涼感媒体設定」「涼風設定」「自動湯／水張り設定」が設定可能なように構成されている。「涼感媒体設定」では、涼感ゾーンに対する涼水ミストＣＭ及び涼風ＣＷの組み合わせが、「涼風＋涼水ミスト」か「涼水のみ」か「涼風のみ」かが選択可能なように構成されている。「涼風設定」では、「エアコン駆動」か「外気導入」か「洗面所空気導入」か「浴室内空気循環」かが設定可能なように構成されている。先の物ほど涼感程度が強いものである。
【００９１】
「エアコン駆動」とは、浴室に設けられた冷凍機を駆動して強制的に冷却された冷風を送り込む設定である。「外気導入」とは、屋外の空気を導入して涼風を送り込む設定である。「洗面所空気導入」とは、洗面所側の空気をダクトを介して導入して涼風を送り込む設定である。「浴室内空気循環」とは、浴室内の空気を循環させて涼風を送り込む設定である。
【００９２】
「自動湯／水張り設定」では、「ＯＮ」か「ＯＦＦ」かが選択可能なように構成されている。「ＯＮ」では、エスケープモード時に自動的に浴槽内に足元が浸かる２０センチ程度の「湯」か「水」を張るように制御されるものであって、湯を張るか水を張るかを好みに応じて自由に選択可能なように構成されている。「湯」を選択すると、ＣＰＵ４０は給水・給湯装置５２に湯を張るように指示信号を出力する。「水」を選択すると、ＣＰＵ４０は給水・給湯装置５２に水を張るように指示信号を出力する。
【００９３】
「涼感ゾーンの構築条件設定」では、「常時構築」か「自動サイクル構築」か「マニュアル設定時構築」かが選択可能なように構成されている。
【００９４】
「常時構築」を選択すると、発汗ゾーンに対して涼感ゾーンが常に構築されるようにＣＰＵ４０が制御を行う。「自動サイクル構築」を選択すると、設定したサイクル数で発汗ゾーンに対して予め設定されたエリアに涼感ゾーンが設定された時間だけ自動的に形成されるようにＣＰＵ４０が制御を行う。サイクルの設定は、「発汗時間」「涼感時間」「発汗サイクル数」の設定により行うことができ、設定された発汗時間後に、涼感ゾーンを構築開始し、設定された涼感時間だけ涼感ゾーンを構築して、涼感ゾーンを消失させるように制御するもので、このサイクルを設定された発汗サイクル数だけ行うものである。
【００９５】
「マニュアル設定時構築」を選択すると、入浴者の操作に応じて涼感ゾーンが形成されるようにＣＰＵ４０が制御を行う。「マニュアル設定時構築」では、「ＯＮ／ＯＦＦ方式」と「ＯＮ後所定時間涼感ゾーン構築」とが設定可能である。「ＯＮ／ＯＦＦ方式」は、入浴者の操作に応じて涼感ゾーンの構築を行い、またその構築を解除する方式である。「ＯＮ後所定時間涼感ゾーン構築」は、入浴者の操作に応じて設定された時間（図１２においては１分間）涼感ゾーンの構築を行い、その時間の経過後に構築を解除する方式である。
【００９６】
「分離形態」では、「３ゾーン分離」か「２ゾーン分離」かが選択可能なように構成されている。「分離形態」ではまた、２ステップの涼感ゾーン形成か、１ステップの涼感ゾーン形成かが選択可能なように構成されている。
【００９７】
「３ゾーン分離」とは、発汗ゾーンと涼感ゾーンとの間に中間ゾーンを設けるものである。「２ゾーン分離」とは、発汗ゾーンと涼感ゾーンとに分離するものである。
【００９８】
２ステップの涼感ゾーン形成とは、図２の（ｂ）を参照しながら説明したように、「エスケープモード」ボタン４３ｃｄを一回押すと温ミストＨＭの噴出を絞るミスト退避モードとなり、２回ボタンを押すと始めて涼水ミストＣＭ及び涼風ＣＷを噴出するモードに遷移するものである。１ステップの涼感ゾーン形成とは、「エスケープモード」ボタン４３ｃｄを一度押すと涼水ミストＣＭ及び涼風ＣＷの噴出を即座に開始するものである。クールダウンに対する嗜好と、発汗ゾーンの環境維持の観点から選択設定されることを想定している。
【００９９】
更に、エスケープモードの設定画面は図１３に示すような設定画面４３２ｃ（位置設定手段）に遷移する。図１３に示す設定画面４３２ｃは、涼感ゾーンの形成位置を設定するためのものである。設定画面４３２ｃは、パターン１，２，３，４の４つのパターンで涼感ゾーンの形成位置が設定可能なように構成されている。パターン１は、涼感ゾーンＣＺが浴槽領域の図中左上方に形成され、発汗ゾーンＨＺが涼感ゾーンＣＺと対角位置に形成されるように洗い場領域の図中右下方に形成されるパターンである。パターン２は、涼感ゾーンＣＺが浴槽領域の図中左下方に形成され、発汗ゾーンＨＺが涼感ゾーンＣＺと対角位置に形成されるように洗い場領域の図中右上方に形成されるパターンである。パターン３は、涼感ゾーンＣＺ及び発汗ゾーンＨＺが共に洗い場領域に形成されるパターンであり、涼感ゾーンＣＺが図中上方に、発汗ゾーンＨＺが図中下方にそれぞれ形成されるパターンである。パターン４は、涼感ゾーンＣＺ及び発汗ゾーンＨＺが共に洗い場領域に形成されるパターンであり、涼感ゾーンＣＺが図中下方に、発汗ゾーンＨＺが図中上方にそれぞれ形成されるパターンである。
【０１００】
尚、涼感ゾーンの形成位置は、図１３に示すパターンに限られない。例えば、図１４の（ａ）に示すように、涼感ゾーンＣＺが洗い場領域の図中右下方に形成され、発汗ゾーンＨＺが涼感ゾーンＣＺと対角位置に形成されるように浴槽領域の図中左上方に形成されるパターンであってもよい。また、図１４の（ｂ）に示すように、涼感ゾーンＣＺが洗い場領域の図中右上方に形成され、発汗ゾーンＨＺが涼感ゾーンＣＺと対角位置に形成されるように浴槽領域の図中左下方に形成されるパターンであってもよい。
【０１０１】
図１３に示すように、この実施形態では、涼感ゾーンＣＺの形成位置を複数記憶しており、その記憶されている形成位置を候補位置として使用者（施工業者やこの浴室ミストサウナ装置の所有者、利用者）が選択可能なように構成されている。また、候補位置は、浴室空間を平面視した場合の４つの対角方向を互いに分かつように分割された４つの領域が選択可能なように構成されている。
【０１０２】
図９に戻り、第１水温センサー４４は、第２ミストバルブ５８側の水温を測定するためのセンサーである。第２水温センサー４５は、第１ミストバルブ５７側の水温を測定するためのセンサーである。
【０１０３】
第１温度センサー４６は、浴槽側の温度を測定するためのセンサーである。第１温度センサー４６は、浴槽近傍に配置されている。第２温度センサー４７は、洗い場側の温度を測定するためのセンサーである。第２温度センサー４７は、洗い場近傍に配置されている。
【０１０４】
浴室湿度センサー４８は、浴室内の湿度を測定するためのセンサーであり、浴室内に設置されている。洗面所湿度センサー４９は、洗面所内の湿度を測定するためのセンサーであり、洗面所内に設置されている。
【０１０５】
第１水温センサー４４、第２水温センサー４５、第１温度センサー４６、第２温度センサー４７、浴室湿度センサー４８、及び洗面所湿度センサー４９から出力される測定信号はＣＰＵ４０に出力される。
【０１０６】
第１可動ルーバー用モータ５０は、浴槽側に対応して設置されている第１可動ルーバー５０１を駆動するためのモータである。第２可動ルーバー用モータ５１は、洗い場側に対応して設置されている第２可動ルーバー５１１を駆動するためのモータである。第１可動ルーバー用モータ５０及び第２可動ルーバー用モータ５１は、ＣＰＵ４０からの指示信号に基づいて回転する。
【０１０７】
給水・給湯装置５２は、浴槽への給水及び給湯を行うための装置である。給水・給湯装置５２は、ＣＰＵ４０からの指示信号に応じて浴槽への給水及び給湯を行う。
【０１０８】
循環ファン駆動モータ５３は、循環ファン５３１を駆動するためのモータである。循環ファン５３１は、浴室空調機本体１０内に設けられているファンであって、浴室内へ空気を噴出する。循環ファン駆動モータ５３は、ＣＰＵ４０からの指示信号に基づいて回転する。
【０１０９】
ポンプ駆動モータ５４は、ミストポンプ５４１を駆動するためのモータである。ミストポンプ５４１は、メインバルブ５６と第１ミストバルブ５７及び第２ミストバルブ５８との間に設けられており、第１ミストバルブ５７及び第２ミストバルブ５８に向けて水圧を上昇させている。ポンプ駆動モータ５４は、ＣＰＵ４０からの指示信号に基づいて回転する。
【０１１０】
ダンパー駆動モータ５５は、循環・換気切替ダンパー５５１を駆動するためのモータである。ダンパー駆動モータ５５の回転に応じて、循環・換気切替ダンパー５５１が浴室空調機本体１０内の空調路を循環側と換気側とで切り替わるように構成されている。ダンパー駆動モータ５５は、ＣＰＵ４０からの指示信号に基づいて回転する。
【０１１１】
メインバルブ５６は、浴室ミストサウナ装置ＭＳの配管路において、水道元栓とミストポンプ５４１との間に配置されるバルブである。メインバルブ５６は、ＣＰＵ４０からの指示信号に基づいて開閉動作を行う。
【０１１２】
第１ミストバルブ５７は、浴室ミストサウナ装置ＭＳの配管路において、ミストポンプ５４１とミストノズル（図９においては明示しない）との間に配置されるバルブである。第１ミストバルブ５７は、ＣＰＵ４０からの指示信号に基づいて開閉動作を行う。
【０１１３】
第２ミストバルブ５８は、浴室ミストサウナ装置ＭＳの配管路において、ミストポンプ５４１とミストノズル（図９においては明示しない）との間に配置されるバルブである。第２ミストバルブ５８は、ＣＰＵ４０からの指示信号に基づいて開閉動作を行う。
【０１１４】
排水バルブ５９は、浴室ミストサウナ装置ＭＳの配管路において、第１ミストバルブ５７とミストノズル（図９においては明示しない）との間から分岐される管路及び第２ミストバルブ５８とミストノズル（図９においては明示しない）との間から分岐される管路に設けられているバルブである。排水バルブ５９は、ＣＰＵ４０からの指示信号に基づいて開閉動作を行う。
【０１１５】
暖房ヒータ６０，６１，６２は、浴室空調機本体１０内の空調路において、吹き出し口近傍に配置されているヒータである。スイッチ６０１，６１１，６２１は、暖房ヒータ６０，６１，６２への通電を制御するスイッチである。スイッチ６０１，６１１，６２１は、ＣＰＵ４０からの指示信号に基づいて通電制御を行う。
【０１１６】
ミストヒータ６３，６４は、浴室ミストサウナ装置ＭＳの配管路において、第１ミストバルブ５７とミストノズル（図９においては明示しない）との間に配置されるヒータである。スイッチ６３１，６４１は、ミストヒータ６３，６４への通電を制御するスイッチである。スイッチ６３１，６４１は、ＣＰＵ４０からの指示信号に基づいて通電制御を行う。
【０１１７】
引き続いて、浴室ミストサウナ装置ＭＳの配管状態を、図１５を参照しながら説明する。図１５は、浴室ミストサウナ装置ＭＳの配管図であって、浴室空間に温ミストを噴出するための温ミスト噴出手段、浴室空間に涼水ミストを噴出するための涼水ミスト噴出手段をそれぞれ具体的に説明するための図である。図１５に示すように、水道に接続された上流側から順に、メインバルブ５６、ミストポンプ５４１が接続されている。ミストポンプ５４１の先は第１管路側と第２管路側とに管路が分岐している。
【０１１８】
第１管路側には上流側から順に、ミストヒータ６３、第１ミストバルブ５７、ミストノズル７３，７４（洗い場側ミストノズル）が接続されている。第２管路側には上流側から順に、ミストヒータ６４、第２ミストバルブ５８、ミストノズル７２（浴槽側ミストノズル）が接続されている。
【０１１９】
第１管路の途中と、第２管路の途中から分岐して排水管路が設けられている。排水管路には、排水バルブ５９が設けられている。排水バルブ５９の先の排水管路はドレーン７１に繋がっている。
【０１２０】
図１５に示す構成の場合、ミストヒータ６３のみに通電しながら、第１ミストバルブ５７及び第２ミストバルブ５８を開くと、ミストノズル７２からは涼水ミストが、ミストノズル７３，７４からは温ミストが噴出する。一方、ミストヒータ６４のみに通電しながら、第１ミストバルブ５７及び第２ミストバルブ５８を開くと、ミストノズル７２からは温ミストが、ミストノズル７３，７４からは涼水ミストが噴出する。ミストノズル７２，７３，７４から噴出するミストの温度は、ミストヒータ６３，６４それぞれへの通電状態を制御することで調整することができる。
【０１２１】
引き続いて、浴室ミストサウナ装置ＭＳを構成する浴室空調機本体１０について図１６，１７，１８を参照しながら説明する。図１６は、浴室空調機本体１０の内部構成を模式的に示した図である。図１７は、図１６の暖房ヒータ６０，６１，６２近傍を示す図であって、図１６の図中下方から見た図である。図１８は、浴室空調機本体１０ｄを浴室ユニットＢＲに取り付けた状態を示す図である。
【０１２２】
浴室空調機本体１０は、風路部分２０１と、カバー部分２０２とを備えている。風路部分２０１は、第１風路部分２０１ａ、第２風路部分２０１ｂ、第３風路部分２０１ｃ、第４風路部分２０１ｄ、第５風路部分２０１ｅ、第６風路部分２０１ｆ、第７風路部分２０１ｇを有している。
【０１２３】
第１風路部分２０１ａ、第２風路部分２０１ｂ、及び第３風路部分２０１ｃは、互いに９０度の角度を成すように繋がっている。従って、第１風路部分２０１ａから吸い込まれる空気の方向と、第３風路部分２０１ｃから噴出する空気の方向は互いに１８０度の角度を成している。また、第２風路部分２０１ｂと第３風路部分２０１ｃとが繋がる部分には、更に第４風路部分２０１ｄが繋がっている。
【０１２４】
第１風路部分２０１ａと第２風路部分２０１ｂとが繋がる部分の近傍には、循環ファン５３１が設けられている。循環ファン５３１は、浴室ミストサウナ装置ＭＳのＣＰＵ４０からの指示信号に基づいて回転する循環ファン駆動モータ５３によって駆動される（図９参照）。本例の場合、循環ファン５３１は暖房ファンとして機能している。
【０１２５】
第２風路部分２０１ｂ、第３風路部分２０１ｃ、及び第４風路部分２０１ｄが繋がる部分には、循環・換気切替ダンパー５５１が設けられている。循環・換気切替ダンパー５５１は、浴室ミストサウナ装置ＭＳのＣＰＵ４０からの指示信号に基づいて回転するダンパー駆動モータ５５によって駆動される（図９参照）。
【０１２６】
第３風路部分２０１ｃの終端部分には、暖房ヒータ６０，６１，６２が取り付けられている。暖房ヒータ６０，６１，６２は、浴室ミストサウナ装置ＭＳのＣＰＵ４０からの指示信号に基づいて開閉するスイッチ６０１，６１１，６２１によって通電状態が制御される（図９参照）。
【０１２７】
第５風路部分２０１ｅ、第６風路部分２０１ｆ、及び第７風路部分２０１ｇは、互いに９０度の角度を成すように繋がっている。従って、第５風路部分２０１ｅから吸い込まれる空気の方向と、第７風路部分２０１ｇから噴出する空気の方向は互いに１８０度の角度を成している。
【０１２８】
第６風路部分２０１ｆと第７風路部分２０１ｇとが繋がる部分の近傍には、循環ファン５３１ａが設けられている。循環ファン５３１ａは、浴室ミストサウナ装置ＭＳのＣＰＵ４０からの指示信号に基づいて回転する循環ファン駆動モータ（図に明示しない）によって駆動される。本例の場合、循環ファン５３１ａは涼風ファンとして機能している。
【０１２９】
カバー部分２０２は、風路部分２０１を覆うように取り付けられている。カバー部分２０２は風路部分２０１を覆うと共に、浴室ユニットＢＲの天井部材２４における平坦な天井部分２４１（図１参照）との間に所定の隙間を確保した状態で取り付けられている。従って、風路部分２０１に取り付けられている循環ファン５３１，５３１ａが回転すると、カバー部分２０２と天井部分２４１との隙間から空気が吸い込まれる。
【０１３０】
カバー部分２０２の、第３風路部分２０１ｃに対応する部分には、開口部２０２ａが形成されている。開口部２０２ａには、３つの第１可動ルーバー５０１が設けられている。３つの第１可動ルーバー５０１は、暖房ヒータ６０，６１，６２の直下に取り付けられている。
【０１３１】
カバー部分２０２の、第７風路部分２０１ｇに対応する部分には、開口部２０２ｂが形成されている。この開口部２０２ｂには、第２可動ルーバー５１１が設けられている。
【０１３２】
３つの第１可動ルーバー５０１の内の２つの第１可動ルーバー５０１の近傍には、ミストノズル７３，７４が設けられている。第２可動ルーバー５１１の近傍には、ミストノズル７２が設けられている。ミストノズル７２とミストノズル７３，７４とは、開口部２０２ａ，２０２ｂを挟んで反対側に取り付けられている。従って、ミストノズル７２のミスト噴出方向と、ミストノズル７３，７４のミスト噴出方向とは互いに逆方向になるように構成されている。
【０１３３】
図１６に示す浴室空調機本体１０においては、発汗ゾーンを形成する場合には暖房ヒータ６０，６１，６２に通電した状態で循環ファン５３１を回転させて、温風を浴室内に噴出する。この温風噴出に併せて、ミストノズル７３，７４から温ミストを噴出して浴室内をミストサウナ空間とする。
【０１３４】
一方、涼感ゾーンを形成する場合には、循環ファン５３１ａを回転させ、涼風を噴出する。この涼風噴出に併せて、ミストノズル７２から涼水ミストを噴出することも好ましい。浴室空調機本体１０では、涼風を噴出する第５風路部分２０１ｅ、第６風路部分２０１ｆ、第７風路部分２０１ｇが、暖房ヒータ６０，６１，６２をバイパスする形で、温風を噴出する第１風路部分２０１ａ、第２風路部分２０１ｂ、第３風路部分２０１ｃとは独立して設けられているので、温風と涼風とが混ざり合いにくく、より効率的に発汗ゾーンと涼感ゾーンとを併存形成できる。また、暖房ヒータ６０に通電した状態で涼風を提供できるので、発汗ゾーンの温度維持をより的確に行うことができる。
【０１３５】
図１７に示すように、３つの第１可動ルーバー５０１の向きを図中右斜め下方に向け、第２可動ルーバー５０２の向きを図中左斜め上方に向けると、温風は図中右斜め下方に向けて噴出され、涼風は図中左斜め上方に向けて噴出される。３つの第１可動ルーバー５０１は洗い場側に、第２可動ルーバー５０２は浴槽側にそれぞれ配置されているので、図１７に示すような風の噴出を行うと、図１３のパターン２のように涼感ゾーンＣＺと発汗ゾーンＨＺとが浴室ユニットＢＲの対角位置に形成される。
【０１３６】
浴室空調機本体１０の第１可動ルーバー５０１と第２可動ルーバー５０２との向きを調整し、暖房ヒータ６０，６１，６２への通電状態を制御することで、涼感ゾーンＣＺ及び発汗ゾーンＨＺの位置を変更することができる。図１９に示すように、３つの第１可動ルーバー５０１の向きを図中右斜め上方に向け、第２可動ルーバー５０２の向きを図中左斜め下方に向けると、温風は図中右斜め上方に向けて噴出され、涼風は図中左斜め下方に向けて噴出される。３つの第１可動ルーバー５０１は洗い場側に、第２可動ルーバー５０２は浴槽側にそれぞれ配置されているので、図１９に示すような風の噴出を行うと、図１３のパターン１のように涼感ゾーンＣＺと発汗ゾーンＨＺとが浴室ユニットＢＲの対角位置に形成される。
【０１３７】
また、図２０に示すように、２つの第１可動ルーバー５０１の向きを図中右斜め上方に向け、１つの第１可動ルーバー５０１の向きを図中右斜め下方に向け、暖房ヒータ６０，６１への通電は継続し、暖房ヒータ６２への通電を遮断すると、温風は図中右斜め上方に向けて噴出され、涼風は図中右斜め下方に向けて噴出される。この場合、第２可動ルーバー５０２からの風の噴出は、循環ファン５３１ａの回転を停止させることで止めている。図２０に示すような風の噴出を行うと、図１３のパターン４のように涼感ゾーンＣＺと発汗ゾーンＨＺとが浴室ユニットＢＲの洗い場側に形成される。
【０１３８】
尚、図２０に示す場合には、涼感ゾーンＣＺと発汗ゾーンＨＺとを対角位置に形成する場合に比較して、涼感ゾーンＣＺと発汗ゾーンＨＺとが同じ洗い場領域側に形成されるので、ゾーン分離を行うことが難しくなる。そのため、ミストノズル７３から噴出される温ミストの粒径を大きくし、その流量は少なくすると共に、噴き出す温風の風量を少なくし、発汗ゾーンの維持制御を少なくとも最初の段階では弱めることが好ましい。また、ミストノズル７４から噴出される涼水ミストの粒径を大きくし、その流量も多くすると共に、噴き出す涼風の風量を多くして、涼感ゾーンの形成制御を強めることが好ましい。この場合、ミストノズル７３とミストノズル７４とが独立した配管経路となるように、図１５に示した配管経路を変更することが好ましい。
【０１３９】
引き続いて、浴室空調機本体１０の変形例を図２１に示す。図２１は、変形例としての浴室空調機本体１０ｃの内部構成を模式的に示した図である。
【０１４０】
図２１に示す浴室空調機本体１０ｃは、風路部分１０７と、カバー部分１０８とを備えている。風路部分１０７は、第１風路部分１０７ａ、第２風路部分１０７ｂ、第３風路部分１０７ｃ、第４風路部分１０７ｄ、第５風路部分１０７ｅ、第６風路部分１０７ｆ、第７風路部分１０７ｇ、第８風路部分１０７ｈ、第９風路部分１０７ｊ、第１０風路部分１０７ｋを有している。
【０１４１】
第１風路部分１０７ａ、第２風路部分１０７ｂ、及び第３風路部分１０７ｃは、互いに９０度の角度を成すように繋がっている。従って、第１風路部分１０７ａから吸い込まれる空気の方向と、第３風路部分１０７ｃから噴出する空気の方向は互いに１８０度の角度を成している。また、第２風路部分１０７ｂと第３風路部分１０７ｃとが繋がる部分には、更に第４風路部分１０７ｄが繋がっている。
【０１４２】
第１風路部分１０７ａと第２風路部分１０７ｂとが繋がる部分の近傍には、循環ファン５３１が設けられている。循環ファン５３１は、浴室ミストサウナ装置ＭＳのＣＰＵ４０からの指示信号に基づいて回転する循環ファン駆動モータ５３によって駆動される（図９参照）。本例の場合、循環ファン５３１は暖房ファンとして機能している。
【０１４３】
第２風路部分１０７ｂ、第３風路部分１０７ｃ、及び第４風路部分１０７ｄが繋がる部分には、循環・換気切替ダンパー５５１が設けられている。循環・換気切替ダンパー５５１は、浴室ミストサウナ装置ＭＳのＣＰＵ４０からの指示信号に基づいて回転するダンパー駆動モータ５５によって駆動される（図９参照）。
【０１４４】
第３風路部分１０７ｃの終端部分には、暖房ヒータ６０，６１，６２が取り付けられている。暖房ヒータ６０，６１，６２は、浴室ミストサウナ装置ＭＳのＣＰＵ４０からの指示信号に基づいて開閉するスイッチ６０１，６１１，６２１によって通電状態が制御される。
【０１４５】
第５風路部分１０７ｅ、第６風路部分１０７ｆ、及び第７風路部分１０７ｇは、互いに９０度の角度を成すように繋がっている。従って、第５風路部分１０７ｅから吸い込まれる空気の方向と、第７風路部分１０７ｇから噴出する空気の方向は互いに１８０度の角度を成している。また、第５風路部分１０７ｅと第６風路部分１０７ｆとが繋がる部分には、更に第８風路部分１０７ｈが繋がっている。
【０１４６】
第６風路部分１０７ｆと第７風路部分１０７ｇとが繋がる部分の近傍には、循環ファン５３１ａが設けられている。循環ファン５３１ａは、浴室ミストサウナ装置ＭＳのＣＰＵ４０からの指示信号に基づいて回転する循環ファン駆動モータ（図に明示しない）によって駆動される。本例の場合、循環ファン５３１ａは涼風ファンとして機能している。
【０１４７】
第５風路部分１０７ｅ、第６風路部分１０７ｆ、及び第８風路部分１０７ｈが繋がる部分には、涼風ダンパー５５１ｂが設けられている。涼風ダンパー５５１ｂは、浴室ミストサウナ装置ＭＳのＣＰＵ４０からの指示信号に基づいて回転するダンパー駆動モータ（図に明示しない）によって駆動される。図２１に示す状態のように涼風ダンパー５５１ｂが開かれると、第７風路部分１０７ｇに向けて浴室内の空気が供給される。一方、涼風ダンパー５５１ｂが閉じられて、第５風路部分１０７ｅからの空気の流入が遮断されると、第７風路部分１０７ｇに向けて洗面所から空気や外気が導入される。
【０１４８】
第８風路部分１０７ｈには、第９風路部分１０７ｊと、第１０風路部分１０７ｋとが繋がっている。第９風路部分１０７ｊは、外気を導入するためにその末端が外気へ解放されている。第１０風路部分１０７ｋは、洗面所の空気を導入するためにその末端が洗面所に繋がっている。
【０１４９】
図２２に、第４風路部分１０３ｄが洗面所ＤＲの天井に接続されている様子を示す。第９風路部分１０７ｊは、浴室ユニットＢＲが設置されている家屋の外部と換気可能なように接続されている。第１０風路部分１０７ｋは、浴室ユニットＢＲに隣接する洗面室ＤＲと換気可能なように接続されている。
【０１５０】
図２１に戻り、カバー部分１０８は、風路部分１０７を覆うように取り付けられている。カバー部分１０８は風路部分１０７を覆うと共に、浴室ユニットＢＲの天井部材２４における平坦な天井部分２４１（図１参照）との間に所定の隙間を確保した状態で取り付けられている。従って、風路部分１０７に取り付けられている循環ファン５３１ａが回転すると、カバー部分１０８と天井部分２４１との隙間から空気が吸い込まれる。
【０１５１】
カバー部分１０８の、第１風路部分１０７ａに対応する部分には、開口部１０８ａが形成されている。風路部分１０７に取り付けられている循環ファン５３１が回転すると、開口部１０８ａから空気が吸い込まれる。
【０１５２】
カバー部分１０８の、第３風路部分１０７ｃに対応する部分には、開口部１０８ｂが形成されている。開口部１０８ｂには、３つの第１可動ルーバー５０１が設けられている。３つの第１可動ルーバー５０１は、暖房ヒータ６０，６１，６２の直下に取り付けられている。
【０１５３】
カバー部分１０８の、第７風路部分１０５ｇに対応する部分には、開口部１０８ｃが形成されている。この開口部１０８ｃには、第２可動ルーバー５１１が設けられている。
【０１５４】
３つの発汗ゾーン側可動ルーバー５０１の内の２つの第１可動ルーバー５０１の近傍には、ミストノズル７３，７４が設けられている。第２可動ルーバー５１１の近傍には、ミストノズル７２が設けられている。ミストノズル７２とミストノズル７３，７４とは、開口部１０８ａ，１０８ｂ，１０８ｃを挟んで反対側に取り付けられている。従って、ミストノズル７２のミスト噴出方向と、ミストノズル７３，７４のミスト噴出方向とは互いに逆方向になるように構成されている。
【０１５５】
図２１に示す浴室空調機本体１０ｃにおいては、発汗ゾーンを形成する場合には暖房ヒータ６０，６１，６２に通電した状態で循環ファン５３１を回転させて、温風を浴室内に噴出する。この温風噴出に併せて、ミストノズル７３，７４から温ミストを噴出して浴室内をミストサウナ空間とする。
【０１５６】
一方、涼感ゾーンを形成する場合には、循環ファン５３１ａを回転させ、涼風を噴出する。この涼風噴出に併せて、ミストノズル７２から涼水ミストを噴出することも好ましい。浴室空調機本体１０ｃでは、涼風を噴出する第５風路部分１０７ｅ、第６風路部分１０７ｆ、第７風路部分１０７ｇが、暖房ヒータ６０，６１，６２をバイパスする形で、温風を噴出する第１風路部分１０７ａ、第２風路部分１０７ｂ、第３風路部分１０７ｃとは独立して設けられているので、温風と涼風とが混ざり合いにくく、より効率的に発汗ゾーンと涼感ゾーンとを形成できる。また、暖房ヒータ６０に通電した状態で涼風を提供できるので、発汗ゾーンの温度維持をより的確に行うことができる。また、涼風ダンパー５５１ｂを閉じて、循環ファン５３１ａを回転させると、洗面所の空気や外気を取り込むこともできる。
【０１５７】
第８風路部分１０７ｈ、第９風路部分１０７ｊ、第１０風路部分１０７ｋが繋がる部分には、分岐ダンパー５５１ｃが設けられている。分岐ダンパー５５１ｃを作動させて切り替えることで、第９風路部分１０７ｊに繋がる外気（屋外の空気）と第１０風路部分１０７ｋに繋がる外気（隣室である洗面所の空気）とを選択的に導入することができる。
【０１５８】
引き続いて、浴室ミストサウナ装置ＭＳを用いたゾーン分離空調制御について説明する。図２３は、ＣＰＵ４０によるゾーン分離空調制御（エスケープモード）のフローを示したフローチャートである。図２３を参照しながらする説明においては、発汗ゾーンの設定温度を３６℃、涼感ゾーンの温度を２５℃に設定しており、発汗ゾーンの設定温度維持を優先し、涼感環境は自動設定するものとしている。
【０１５９】
まず、涼感ゾーンを形成したか否かのフラグＦが立っているか否かを判断する（ステップＳ０１）。このフラグＦが１であれば、後に説明するステップＳ２０の処理に進む。このフラグＦが０であれば、ステップＳ０２の処理に進む。
【０１６０】
続いて、涼感ゾーンの温度や涼水ミストの温度といった設定値を読み込む（ステップＳ０２）。この設定値は、図１１を参照しながら説明したように、エスケープモードの詳細設定で設定される設定値である。その後、涼感ゾーンを形成するエスケープモードがＯＮになっているか否かを判断する（ステップＳ０３）。エスケープモードボタン４３ｃｄ（図１１参照）が操作されて、エスケープモードがＯＮになっていなければリターンする。エスケープモードボタン４３ｃｄ（図１１参照）が操作されて、エスケープモードがＯＮになっていれば、ステップＳ０４の処理に進む。
【０１６１】
続いて、発汗ゾーンの温度が設定温度（本例では３６℃）に基づいた目標温度範囲に入っているか否かを判断する（ステップＳ０４）。発汗ゾーンの温度が目標温度範囲に入っていなければ、まだ十分に発汗ゾーンが構築されておらず、入浴者がクールダウンするためにエスケープモードの操作を行ったとは考えにくく、誤操作である可能性があること、及び発汗ゾーンが完全ではない状態で涼感流体を噴出することはミストサウナ環境の確保面で好ましくない為、エスケープモードの形成が不可であるとの警告を表示する（ステップＳ０５）とともに、エスケープモードの操作を受け付けない。発汗ゾーンの温度が目標温度範囲に入っていれば、ステップＳ０６の処理に進む。
【０１６２】
続いて、浴槽ＢＴに設定温度の涼水を注入する（ステップＳ０６）。この涼水の注入は、浴槽ＢＴ側が涼感ゾーンとなっている場合に行われる。既に浴槽ＢＴにお湯が張られている場合には、このステップＳ０６はスキップされる。また、浴槽ＢＴ側が発汗ゾーンとなっている場合は、温ミストの噴霧開始と共にお湯を強制的に２０センチ程度張るように制御する。
【０１６３】
続いて、涼感ゾーンに向けて循環送風を開始する（ステップＳ０７）。より具体的には、涼風ダンパー５５１ｂ（図２１参照）を開いて涼風を噴出する。その後、発汗ゾーンの目標温度を上昇させると共に温ミストの粒径を大きくして発汗ゾーンの温度維持を図るようにする。また、温ミストの噴出速度を低下させることで粒径を大きくしたミストが床面に速く落下してミスト感がなくなることを抑制している（ステップＳ０８）。この場合において、最初だけ一時的に温風や温ミストの噴出を停止して涼風との混合を抑制して、涼感を強く感じさせることができるようにすることも好ましい。温ミストを噴霧すると温度が均一化しやすいため、涼感ゾーンの構築時は、温風と、温ミストを一時的に停止し、その後温風だけ噴出を再開し、涼感ゾーンの構築を終了する直前あたりで温ミストの噴出を再開するなどすることが涼感ゾーンを最適化するという面では更に好ましい対応となる。
【０１６４】
続いて、第１可動ルーバーを動かして、温風及び温ミストが退避するように制御する（ステップＳ０９）。その後、循環ファン５３１（図１６等参照）の回転数を上昇させる（ステップＳ１０）。これは、クールダウンの初期入浴者が強い涼感を得たいと思っているため、それに答えるための対応であるとともに、涼感ゾーンにある高温の浮遊している温ミストを無くして噴出される涼水ミストが高温化されないようにする目的もある。
【０１６５】
ステップＳ１０において、循環ファン５３１の回転数を上昇させた後、５秒経過するか判断する（ステップＳ１１）。これは涼感を得たいと思っているエスケープ開始初期にファン回転を高めて強い涼感を入浴者に与えて高い涼感満足度を与えるようにしたものである。ステップＳ１１において、５秒経過したと判断した後、涼感ゾーンの温度ｔを涼感ゾーン側温度センサーにより読み込む（ステップＳ１２）。
【０１６６】
ステップＳ１１において読み込んだ涼感ゾーンの温度ｔと、涼感ゾーンの目標温度Ｔｔとの偏差Ｔ１を演算する（ステップＳ１３）。続いて、偏差Ｔ１が５℃以上あるか否か判断する（ステップＳ１４）。
【０１６７】
ステップＳ１４において、偏差Ｔ１が５℃以上なかった場合、涼水ミストの噴出を開始する（ステップＳ１５）。ステップＳ１５における涼水ミストの噴出においては、ミストの粒径を中程度にし、ミストの噴出速度を大きくする。これは目標温度との偏差が少なく、入浴者が得たいと思っている涼感程度に対して略近い領域まで既に涼感を得ていると思われるため、涼感フィーリングの最適化と、発汗ゾーンの温度降下を無用に生じさせることがないように、粒径を中程度にしているものである。
【０１６８】
ステップＳ１５の涼水ミストの噴出開始後、３秒経過したか否か判断する（ステップＳ１６）。３秒経過しない場合はステップＳ１５の処理を継続し、３秒経過した場合は涼感ゾーンを形成したか否かのフラグＦを１に設定する（ステップＳ１９）。
【０１６９】
ステップＳ１４において、偏差Ｔ１が５℃以上であった場合、涼水ミストの噴出を開始する（ステップＳ１７）。ステップＳ１７における涼水ミストの噴出においては、ミストの粒径を大きくし、ミストの噴出速度も大きくする。これは、まだ、目標温度との偏差が大きいことから入浴者の涼感満足度はまだ不十分であると判断し、強い涼感を得られるように粒径を大きくしているものである。なお、粒径が大きいほど雰囲気温度によって高温化されることを抑制できるため、入浴者に触れた際にも冷たく感じさせることができるものである。
【０１７０】
ステップＳ１７の涼水ミストの噴出開始後、５秒経過したか否か判断する（ステップＳ１８）。５秒経過しない場合はステップＳ１７の処理を継続し、５秒経過した場合は涼感ゾーンを形成したか否かのフラグＦを１に設定する（ステップＳ１９）。
【０１７１】
続いて、ステップＳ０１において、涼感ゾーンを形成したか否かのフラグＦが１であった場合には、発汗ゾーンの温度を発汗ゾーン側温度センサー４６（図６等参照）により読み込む（ステップＳ２０）。ここからは、涼感制御の第２ステージ制御になるものである。言い換えると、涼感を得たいと思っているエスケープ開始初期を第１ステージ制御とし、この期間は、発汗ゾーンの温度降下よりは、むしろ入浴者が満足するような強い涼感を与えるように制御を行い、以降の第２ステージ制御では、強い涼感程度というよりは、快適な涼感を与えながら、発汗ゾーンの温度維持をも図る制御ゾーンに変更されている。
【０１７２】
ステップＳ２０で読み込んだ発汗ゾーンの温度に基づいて、発汗ゾーンの温度降下が所定値以上となっているか否か判断する（ステップＳ２１）。
【０１７３】
ステップＳ２１において、発汗ゾーンの温度降下が所定値以上となっていれば、それ以上の温度降下を避けるために、涼水ミスト及び涼風の噴出を抑える発汗ゾーンの温度維持補正を行う（ステップＳ２３）。具体的には、ステップＳ２４で検出される涼水ミストの噴出間欠時間を１．５倍する補正を行うとともに、涼感ゾーンの目標設定温度Ｔｔを２℃高いように上昇補正した目標補正制御量を用いる（目標設定温度Ｔｔ＝Ｔｔ+２℃とする）。これによって、偏差量が見かけ上小さくなるため涼水ミスト及び涼風の噴出が抑えられ、発汗ゾーンの温度維持性能を高めることができる。
【０１７４】
ステップＳ２１において、発汗ゾーンの温度降下が所定値以上となっていなければ、発汗ゾーンの温度降下はまだ余裕があり、涼感満足度を与える余地が多く残されている為、ステップＳ２４において検出データに補正を加えることなく、涼感ゾーンの温度ｔと、涼感ゾーンの目標温度Ｔｔとの偏差Ｔ１にそのまま基づいて演算された値を用いて制御が行われる。
【０１７５】
図２３に示すように、偏差Ｔ１が大きいほど涼感満足度は不十分であると考えられる為風量は多くする。また、偏差Ｔ１が大きいほど涼水ミストの粒径を大きくしている。また、涼水ミストの間欠噴出時間を短くして単位時間当たりの噴出回数を多くしている。ステップＳ０８において既に発汗ゾーンの温ミスト粒径も大きくしているが（図２３のステップＳ２４の一点鎖線で発汗ゾーンの温ミストの粒径を示す）、涼感ゾーンの涼水ミストは、強い涼感を与える為に温ミストの粒径より実質的に大きくしている。具体的には、偏差Ｔ１が非常に小さくなった領域では涼感を得たいと言う領域ではないため、このような小さな領域だけに限って涼水ミストの粒径は温ミストの粒径より小さくなっているものである。このように涼水ミストの粒径を大きくすることで涼水ミストは速やかに落下しやすくなるため空気中に浮遊することが抑制されて発汗ゾーンの温度降下を抑制できるという効果も奏することができている。
【０１７６】
ステップＳ２４の処理を行うことにより、偏差Ｔ１に基づいて最適な涼水ミストの噴出が行われるが、涼水ミストの水量はあくでも発汗ゾーンに対する温ミストの水量の１／５程度であり、発汗ゾーンの温度維持を図りながら、局部的なエリアに対して涼感ゾーンを構築していることが見て取れる。（図２４参照）。
【０１７７】
続いて、涼感ゾーンの温度が目標温度の範囲内であるか否かを判断する（ステップＳ２５）。涼感ゾーンの温度が目標温度の範囲内でなければ、ステップＳ０１にリターンし、涼感ゾーンの温度が目標温度の範囲内であれば、ステップＳ２６の処理に進む。
【０１７８】
続いて、涼水ミストの噴出を停止する（ステップＳ２６）。その後、エスケープモードがＯＦＦされているか否かを判断する（ステップＳ２７）。エスケープモードがＯＦＦされていれば、フラグＦを０に設定し、ステップＳ０１の処理に戻る（ステップＳ２８）。
【０１７９】
ステップＳ２７において、エスケープモードがＯＦＦされていない場合は、エスケープモードの継続時間が所定時間以上となっているか判断する（ステップＳ２９）。エスケープモードの継続時間が所定時間以上となっていなければ、ステップＳ０１の処理に戻る。エスケープモードの継続時間が所定時間以上となっていれば、発汗エリアにおける温ミストの噴出を休止する（ステップＳ３０）。その後、フラグＦを０に設定し、ステップＳ０１の処理に戻る（ステップＳ３１）。これは、あまりにも長くクールダウンを行っている状況であり、サイクル入浴を行うことを辞めたと思えること、及び発汗ゾーンの維持に温ミストを噴出しながら高温に維持することは大きなエネルギーロスになること（温風だけであれば高温維持は容易であるが、温ミストを噴出すると温度降下が起きるため高温維持には大きなエネルギーが必要であるため）から、温ミストの噴出だけを休止して温風だけを継続させている。なお、今回は、温ミストの噴出だけを休止しているが、あまりにも長い間エスケープモードが続くようであれば無駄であるため、温風も休止してもよい。
【０１８０】
続いて、浴室空調機本体１０を用いてゾーン分離空調制御を行う場合のタイムチャートを図２５に示す。図２５においては上から順に、暖房ファンとしての循環ファン５３１の回転数、暖房ヒータ６０，６１，６２の温度、温ミストの流量、温ミストの粒径、循環・換気切替ダンパー５５１による循環／換気の切替状態、涼風ファンとしての循環ファン５３１ａの回転数、涼感ミストの流量、涼感ミストの粒径、涼感ミストの温度、涼風ダンパー５５１ｂによる循環／外気の切替状態、第１可動ルーバー５０１の作動状態、第２可動ルーバー５１１の作動状態を示している。また、それらの作動状況に応じた発汗ゾーンの温度及び涼感ゾーンの温度を示している。
【０１８１】
図２５に示すタイムチャートは、時刻０から時刻ｔ１までがミストサウナ中であり、時刻ｔ１から時刻ｔ３までがエスケープ中（涼感ゾーン構築中）である。時刻ｔ１から時刻ｔ２までは涼感をより強く感じさせるように涼感ゾーンを構築する期間である。時刻ｔ３から時刻ｔ５までは、発汗ゾーンを再構築する期間である。時刻ｔ３から時刻ｔ４までは高温度化することで発汗ゾーンを再構築し、時刻ｔ４から時刻ｔ５までは高湿度化することで発汗ゾーンを再構築する期間である。以下、詳細に説明する。
【０１８２】
時刻０から時刻ｔ１までは、浴室空間内に発汗ゾーンのみを作るモードで運転している。従って、循環ファン５３１の回転数は中程度（Ｍｉ）、暖房ヒータ６０，６１，６２の温度は中程度（Ｍｉ）、温ミストの流量は中程度（Ｍｉ）、温ミストの粒径は大径、循環／換気の切替は循環状態、循環ファン５３１ａは停止、涼感ミストは噴出停止、涼感ミストの温度は高い状態で維持、循環／外気の切替は循環状態、発汗ゾーン側可動ルーバーである第１可動ルーバー５０１は浴室空間全体に揺動する状態（ミスト状態）、涼感ゾーン側可動ルーバーである第２可動ルーバー５１１は入浴者の顔近傍を向くように比較的高い位置に向いた状態（顔位置）となっている。この場合、発汗ゾーンも涼感ゾーンとなる領域も共に高温状態である。
【０１８３】
続いて、時刻ｔ１から時刻ｔ２まで（本例では約１分間）は、浴室空間内に発汗ゾーンと並存させて涼感ゾーンを形成するモードであって、特に強い涼感を与えられるように制御されている。従って、循環ファン５３１は停止状態（ＯＦＦ）、暖房ヒータ６０，６１，６２は停止状態（ＯＦＦ）となっている（図２５におけるＤ部分）。温ミストは停止状態（ＯＦＦ）、温ミストの粒径は小径で噴出可能なように保持されている。
【０１８４】
循環／換気の切替は循環状態、循環ファン５３１ａの回転数は高程度（Ｈｉ）、エアコンＡＣ１は駆動状態（ＯＮ）となっている（図２５におけるＥ部分）。循環／換気の切替を外気取り込み状態としている（図２５における破線部分）。
【０１８５】
涼感ミストは、時刻ｔ１から少し進んだ時刻（予め定められる所定の時間経過後）において噴出が開始される（図２５におけるＦ部分）。涼感ミストの流量は、時刻ｔ１から少し進んだ時刻から時刻ｔ２までにおいて、大流量（Ｈｉ）となるように制御される。涼感ミストの粒径は、時刻ｔ１から少し進んだ時刻から時刻ｔ２よりも少し前の時刻までにおいて、大径（Ｈｉ）となるように制御されている（図２５におけるＧ部分）。涼感ミストの温度は高い状態で維持された後、涼感ミストの噴出が開始されてから所定の時間経過後であって、時刻ｔ２よりも前の時刻において、温度が低い状態に制御され（図２５におけるＨ部分）、入浴者に過度の刺激を与えないようにされている。
【０１８６】
第１可動ルーバー５０１は発汗ゾーンに集中する状態（ＥＳ状態）、第２可動ルーバー５１１は入浴者の顔近傍を向くように比較的高い位置に向いた状態（顔位置）を維持した後、時刻ｔ２の少し前の時刻において広角に涼風を噴出することが可能なように制御される。
【０１８７】
続いて、時刻ｔ２から時刻ｔ３までは、涼感を与えつつ浴室空間の温度が下がり過ぎないように制御する期間である。より具体的には、浴室空間の温度は高めるが絶対湿度を下げ、かつ涼風を入浴者に当てることで入浴者の温度境界層を薄くし、これによって入浴者に涼感を与えている。この期間の後半では、相対湿度を下げて気化熱によって涼感を与えている。
【０１８８】
循環ファン５３１は間欠回転状態となっていて、暖房ヒータ６０，６１，６２は循環ファン５３１の間欠運転に合わせて通電される。間欠運転の間隔は当該時間帯の前半においては比較的開いており、当該時間帯の後半においては比較的狭まっている。また、間欠運転の時間は当該時間帯の前半において比較的短く、当該時間帯の後半においては比較的長くなっている。また、当該時間帯の前半において温ミストは停止状態（ＯＦＦ）、温ミストの粒径は小径で噴出可能なように保持されているが、当該時間帯の後半において温ミストは間欠噴出される（図２５のＫ部分）。
【０１８９】
循環／換気の切替は循環状態で維持される。循環ファン５３１ａの回転数は、時刻ｔ２から少し後の時刻までは高程度（Ｈｉ）に維持され、その後中程度（Ｍｉ）に落とされる（図２５のＪ部分）。循環ファン５３１ａの回転数が中程度（Ｍｉ）になったのと同調させて、涼感ミストの間欠噴出が開始される（図２５のＬ部分）。
【０１９０】
涼感ミストの粒径は、中程度の径（Ｍｉ）となるように制御されている。涼感ミストの温度は低い状態（Ｌｏ）で維持された後、所定時間経過後に高い状態（Ｈｉ）となるように制御される。
【０１９１】
第１可動ルーバー５０１は発汗ゾーンに集中する状態（ＥＳ状態）、第２可動ルーバー５１１は広角に涼風を噴出することが可能なように制御された後、揺動するように制御される。
【０１９２】
続いて、時刻ｔ３から時刻ｔ５までは、発汗ゾーンを再構築する時間帯である。発汗ゾーンの再構築は、時刻ｔ３から時刻ｔ４までの高温度化制御と、時刻ｔ４から時刻ｔ５までの高湿度化制御とによって構成されている。これは、高温度化制御を先に行うことで発汗ゾーンの温度上昇をより効果的に行い、その後高湿度化することで発汗ゾーンの構築を行うことを意図している。図２６に示すように、温ミストを噴出すると発汗ゾーンの温度は一時的に低下する。従って、高温度化制御の際には温ミストの噴出を抑制して発汗ゾーンの温度が一時的に低下することを抑制している。
【０１９３】
図２５に戻り、時刻ｔ３から時刻ｔ４まで、循環ファン５３１は中回転（Ｍｉ）となるように制御され、暖房ヒータ６０，６１，６２にも通電される。また、温ミストは流量中（Ｍｉ）で噴出され、温ミストの粒径は小径で噴出可能なように保持されている。
【０１９４】
循環／換気の切替は循環状態で維持される。循環ファン５３１ａは停止、涼感ミストは噴出停止、涼感ミストの温度は高い状態で維持、循環／外気の切替は循環状態となっている。
【０１９５】
第１可動ルーバー５０１は、発汗ゾーンに集中した状態に維持される。第２可動ルーバー５１１は入浴者の顔近傍を向くように比較的高い位置に向いた状態（顔位置）となっている。
【０１９６】
時刻ｔ４から時刻ｔ５まで、循環ファン５３１は高回転（Ｈｉ）となるように制御され、暖房ヒータ６０，６１，６２にも通電される。また、温ミストは流量大（Ｈｉ）で噴出され、温ミストの粒径は大径で噴出可能なように保持されている。
【０１９７】
循環／換気の切替は循環状態で維持される。循環ファン５３１ａは停止、涼感ミストは噴出停止、涼感ミストの温度は高い状態で維持、循環／外気の切替は循環状態となっている。
【０１９８】
第１可動ルーバー５０１は、発汗ゾーンに集中した状態から浴室空間全体に揺動する状態（ミスト状態）へと移行するように制御される。第２可動ルーバー５１１は広角に搖動するように制御される。
【図面の簡単な説明】
【０１９９】
【図１】本実施形態である浴室ミストサウナ装置を構成する浴室空調機本体を浴室ユニットに取り付けた一例を説明するための図である。
【図２】本実施形態である浴室ミストサウナ装置によって実現可能なゾーン空調制御を説明するための図である。
【図３】本実施形態である浴室ミストサウナ装置によって実現可能なゾーン空調制御を説明するための図である。
【図４】本実施形態である浴室ミストサウナ装置によって実現可能なゾーン空調制御を説明するための図である。
【図５】本実施形態である浴室ミストサウナ装置によって実現可能なゾーン空調制御を説明するための図である。
【図６】本実施形態である浴室ミストサウナ装置によって実現可能なゾーン空調制御を説明するための図である。
【図７】本実施形態である浴室ミストサウナ装置によって実現可能なゾーン空調制御を説明するための図である。
【図８】本実施形態である浴室ミストサウナ装置によって実現可能なゾーン空調制御を説明するための図である。
【図９】本実施形態である浴室ミストサウナ装置のブロック構成図である。
【図１０】本実施形態である浴室ミストサウナ装置の洗面所リモコンの操作パネルを示す図である。
【図１１】本実施形態である浴室ミストサウナ装置の浴室内リモコンの操作パネルを示す図である。
【図１２】本実施形態である浴室ミストサウナ装置の浴室内リモコンの詳細設定パネルの一例を示す図である。
【図１３】本実施形態である浴室ミストサウナ装置の浴室内リモコンの詳細設定パネルの一例を示す図である。
【図１４】本実施形態である浴室ミストサウナ装置の浴室内リモコンの詳細設定パネルの一例を示す図である。
【図１５】本実施形態である浴室ミストサウナ装置の配管図である。
【図１６】本実施形態である浴室ミストサウナ装置の浴室空調機本体構造図である。
【図１７】本実施形態である浴室ミストサウナ装置の浴室空調機本体構造図である。
【図１８】図１６に示す浴室空調機本体の設置例を示す図である。
【図１９】本実施形態である浴室ミストサウナ装置の浴室空調機本体構造図である。
【図２０】本実施形態である浴室ミストサウナ装置の浴室空調機本体構造図である。
【図２１】本実施形態の変形例である浴室ミストサウナ装置の浴室空調機本体構造図である。
【図２２】図２１に示す浴室空調機本体を設置する態様を説明するための図である。
【図２３】本実施形態である浴室ミストサウナ装置を用いたゾーン分離空調制御のフローを示すフローチャートである。
【図２４】図２３に示すゾーン分離空調制御を説明するための図である。
【図２５】本実施形態である浴室ミストサウナ装置を用いたゾーン分離空調制御のタイムチャートである。
【図２６】図２５に示すタイムチャートを説明するための図である。
【符号の説明】
【０２００】
ＢＲ…浴室ユニット、ＢＴ…浴槽、１０…浴室空調機本体、２０…床部材、２１，２２，２３…壁部材、２４…天井部材、ＭＳ…浴室ミストサウナ装置、４０…ＣＰＵ４０、４１…記憶部、４２…洗面所リモコン、４３…浴室内リモコン、４４…第１水温センサー、４５…第２水温センサー、４６…第１温度センサー、４７…第２温度センサー、４８…浴室湿度センサー、４９…洗面所湿度センサー、５０…第１可動ルーバー用モータ、５０１…第１可動ルーバー、５１…第２可動ルーバー用モータ、５１１…第２可動ルーバー、５２…給水・給湯装置、５３…循環ファン駆動モータ、５３１…循環ファン、５４…ポンプ駆動モータ５４、５４１…ミストポンプ、５５…ダンパー駆動モータ５５、５５１…循環・換気切替ダンパー、５６…メインバルブ、５７…ミストバルブ、５８…ミストバルブ、５９…排水バルブ。
【図１】
2009061140.tif 000003
【図２】
2009061140.tif 000004
【図３】
2009061140.tif 000005
【図４】
2009061140.tif 000006
【図５】
2009061140.tif 000007
【図６】
2009061140.tif 000008
【図７】
2009061140.tif 000009
【図８】
2009061140.tif 000010
【図９】
2009061140.tif 000011
【図１０】
2009061140.tif 000012
【図１１】
2009061140.tif 000013
【図１２】
2009061140.tif 000014
【図１３】
2009061140.tif 000015
【図１４】
2009061140.tif 000016
【図１５】
2009061140.tif 000017
【図１６】
2009061140.tif 000018
【図１７】
2009061140.tif 000019
【図１８】
2009061140.tif 000020
【図１９】
2009061140.tif 000021
【図２０】
2009061140.tif 000022
【図２１】
2009061140.tif 000023
【図２２】
2009061140.tif 000024
【図２３】
2009061140.tif 000025
【図２４】
2009061140.tif 000026
【図２５】
2009061140.tif 000027
【図２６】
2009061140.tif 000028